(57)【要約】  無線通信ネットワークのノード（１００）は、無線デバイス（１０）への制御情報の送信を管理する。第１の周波数帯域に対して、制御情報は、データチャネルの伝送のための第１の開始位置を指示する。第２の周波数帯域に対して、制御情報は、データチャネルの伝送のための第２の開始位置を指示する。第１の開始位置及び第２の開始位置に基づいて、ノード（１００）は、データチャネルにおけるデータの伝送を制御する。【選択図】図１
2019521598.tif 000002
【特許請求の範囲】
【請求項１】
無線通信ネットワークにおける無線伝送を制御する方法であって、
前記無線通信ネットワークのノード（１００；１１００；１３００；１６００）が、無線デバイス（１０；１５００；１７００）への、第１の周波数帯域に対するデータチャネルの伝送のための第１の開始位置と第２の周波数帯域に対する前記データチャネルの伝送のための第２の開始位置とを指示する下りリンク制御情報を管理することと、
前記第１の開始位置及び前記第２の開始位置に基づいて、前記ノード（１００；１１００；１３００；１６００）が前記データチャネルでのデータの伝送を制御することと、
を有する方法。
【請求項２】
前記第１の開始位置及び前記第２の開始位置は、少なくとも１つのさらなる無線デバイス（１１）への下りリンク制御情報の伝送のための下りリンク制御チャネルの時間−周波数位置に応じて選択される、
請求項１に記載の方法。
【請求項３】
前記第１の開始位置及び前記第２の開始位置は、前記データチャネルの前記下りリンク制御チャネルとのオーバーラップを避けるように選択される、
請求項２に記載の方法。
【請求項４】
前記第１の開始位置及び前記第２の開始位置は、前記データチャネルの前記下りリンク制御チャネルとのオーバーラップを許容するように選択される、
請求項２に記載の方法。
【請求項５】
前記ノードが、前記データチャネルと前記下りリンク制御チャネルとの間で起こりうる干渉に応じて、前記データの前記伝送を制御することを含む、
請求項２から４のいずれか１項に記載の方法。
【請求項６】
前記第１の開始位置と前記第２の開始位置との少なくとも１つが、送信時間間隔の最初の変調シンボルに対応する、
請求項１から５のいずれか１項に記載の方法。
【請求項７】
前記制御情報は、下りリンク制御チャネルの終端との関連で前記第１の開始位置及び前記第２の開始位置を指示する、
請求項１から６のいずれか１項に記載の方法。
【請求項８】
前記制御情報は、複数の開始位置のセットからの選択の観点で前記第１の開始位置及び前記第２の開始位置を指示する、
請求項１から７のいずれか１項に記載の方法。
【請求項９】
前記制御情報は、周波数帯域ごとに１つのインジケータビットからなる、
請求項１から８のいずれか１項に記載の方法。
【請求項１０】
前記制御情報は、周波数帯域ごとに２つのインジケータビットからなる、
請求項１から８のいずれか１項に記載の方法。
【請求項１１】
前記制御情報は、前記無線デバイスに固有である、
請求項１から１０のいずれか１項に記載の方法。
【請求項１２】
無線通信ネットワークにおける無線伝送を制御する方法であって、
前記無線通信ネットワークのノード（１００；１１００；１３００；１６００）が、無線デバイス（１０；１５００；１７００）のためのデータチャネルとさらなる無線デバイス（１１）のための下りリンク制御チャネルとの起こりうる干渉を判定することと、
前記起こりうる干渉に応じて、前記ノード（１００；１１００；１３００；１６００）が、前記データチャネルの開始位置を決定することと、
前記ノード（１００；１１００；１３００；１６００）が、前記データチャネルの前記開始位置を指示する制御情報の前記無線デバイス（１０；１５００；１７００）への送信を管理することと、
前記開始位置に基づいて、前記ノード（１００；１１００；１３００；１６００）が、前記データチャネルにおけるデータの伝送を制御することと、
を有する方法。
【請求項１３】
前記開始位置が、前記下りリンク制御チャネルの時間−周波数位置に応じて選択される、
請求項１２に記載の方法。
【請求項１４】
前記開始位置は、前記データチャネルの前記下りリンク制御チャネルとのオーバーラップを避けるように選択される、
請求項１２又は１３に記載の方法。
【請求項１５】
前記開始位置は、前記データチャネルの前記下りリンク制御チャネルとのオーバーラップを許容するように選択される、
請求項１２から１４のいずれか１項に記載の方法。
【請求項１６】
前記ノード（１００；１１００；１３００；１６００）は、前記判定された干渉に応じて前記データの前記伝送を制御する、
請求項１２から１５のいずれか１項に記載の方法。
【請求項１７】
前記開始位置は、送信時間間隔の最初の変調シンボルに対応する、
請求項１２から１６のいずれか１項に記載の方法。
【請求項１８】
前記制御情報は、下りリンク制御チャネルの終端との関連で前記開始位置を指示する、
請求項１２から１７のいずれか１項に記載の方法。
【請求項１９】
前記制御情報は、複数の開始位置のセットからの選択の観点で前記開始位置を指示する、
請求項１２から１８のいずれか１項に記載の方法。
【請求項２０】
前記制御情報は、１つのインジケータビットからなる、
請求項１２から１９のいずれか１項に記載の方法。
【請求項２１】
前記制御情報は、２つのインジケータビットからなる、
請求項１２から１９のいずれか１項に記載の方法。
【請求項２２】
前記制御情報は、前記無線デバイス（１０；１５００；１７００）に固有である、
請求項１２から２１のいずれか１項に記載の方法。
【請求項２３】
前記開始位置は、前記無線デバイス（１０；１５００；１７００）によって利用される複数の周波数帯域のうちの１つに固有である、
請求項１２から２２のいずれか１項に記載の方法。
【請求項２４】
無線通信ネットワークにおける無線伝送を制御する方法であって、
無線デバイス（１０；１５００；１７００）が、第１の周波数帯域に対するデータチャネルの伝送のための第１の開始位置と第２の周波数帯域に対する前記データチャネルの伝送のための第２の開始位置とを指示する制御情報を前記無線通信ネットワークから受信することと、
前記第１の開始位置及び前記第２の開始位置に基づいて、前記無線デバイス（１０；１５００；１７００）が、前記データチャネルにおけるデータの受信を制御することと、
を有する方法。
【請求項２５】
前記第１の開始位置と前記第２の開始位置との少なくとも１つが送信時間間隔の最初の変調シンボルに対応する、
請求項２４に記載の方法。
【請求項２６】
前記制御情報は、下りリンク制御チャネルの終端との関連で前記第１の開始位置及び前記第２の開始位置を指示する、
請求項２４又は２５に記載の方法。
【請求項２７】
前記制御情報は、複数の開始位置のセットからの選択の観点で前記第１の開始位置及び前記第２の開始位置を指示する、
請求項２４から２６のいずれか１項に記載の方法。
【請求項２８】
前記制御情報は、周波数帯域ごとに１つのインジケータビットからなる、
請求項２４から２７のいずれか１項に記載の方法。
【請求項２９】
前記制御情報は、周波数帯域ごとに２つのインジケータビットからなる、
請求項２４から２７のいずれか１項に記載の方法。
【請求項３０】
前記制御情報は、前記無線デバイスに固有である、
請求項２４から２９のいずれか１項に記載の方法。
【請求項３１】
無線通信ネットワークのためのノード（１００；１１００；１３００；１６００）であって、
−無線デバイス（１０；１５００；１７００）への、第１の周波数帯域に対するデータチャネルの伝送のための第１の開始位置と第２の周波数帯域に対する前記データチャネルの伝送のための第２の開始位置とを指示する制御情報を管理し、
−前記第１の開始位置及び前記第２の開始位置に基づいて、前記データチャネルでのデータの伝送を制御する、
ように構成された前記ノード（１００；１１００；１３００；１６００）。
【請求項３２】
前記第１の開始位置及び前記第２の開始位置は、少なくとも１つのさらなる無線デバイス（１１）への下りリンク制御情報の伝送のための下りリンク制御チャネルの時間−周波数位置に応じて選択される、
請求項３１に記載のノード（１００；１１００；１３００；１６００）。
【請求項３３】
前記第１の開始位置及び前記第２の開始位置は、前記データチャネルの前記下りリンク制御チャネルとのオーバーラップを避けるように選択される、
請求項３２に記載のノード（１００；１１００；１３００；１６００）。
【請求項３４】
前記第１の開始位置及び前記第２の開始位置は、前記データチャネルの前記下りリンク制御チャネルとのオーバーラップを許容するように選択される、
請求項３２に記載のノード（１００；１１００；１３００；１６００）。
【請求項３５】
前記ノード（１００；１１００；１３００；１６００）は、前記データチャネルと前記下りリンク制御チャネルとの間で起こりうる干渉に応じて、前記データの前記伝送を制御するように構成される、
請求項３２から３４のいずれか１項に記載のノード（１００；１１００；１３００；１６００）。
【請求項３６】
前記第１の開始位置と前記第２の開始位置との少なくとも１つが、送信時間間隔の最初の変調シンボルに対応する、
請求項３１から３５のいずれか１項に記載のノード（１００；１１００；１３００；１６００）。
【請求項３７】
前記制御情報は、下りリンク制御チャネルの終端との関連で前記第１の開始位置及び前記第２の開始位置を指示する、
請求項３１から３６のいずれか１項に記載のノード（１００；１１００；１３００；１６００）。
【請求項３８】
前記制御情報は、複数の開始位置のセットからの選択の観点で前記第１の開始位置及び前記第２の開始位置を指示する、
請求項３１から３７のいずれか１項に記載のノード（１００；１１００；１３００；１６００）。
【請求項３９】
前記制御情報は、周波数帯域ごとに１つのインジケータビットからなる、
請求項３１から３８のいずれか１項に記載のノード（１００；１１００；１３００；１６００）。
【請求項４０】
前記制御情報は、周波数帯域ごとに２つのインジケータビットからなる、
請求項３１から３８のいずれか１項に記載のノード（１００；１１００；１３００；１６００）。
【請求項４１】
前記制御情報は、前記無線デバイス（１０；１５００；１７００）に固有である、
請求項３１から４０のいずれか１項に記載のノード（１００；１１００；１３００；１６００）。
【請求項４２】
前記ノード（１００；１１００；１３００；１６００）は請求項１から１１のいずれか１項に記載の方法のステップを実行するように構成される、
請求項３１に記載のノード（１００；１１００；１３００；１６００）。
【請求項４３】
無線通信ネットワークのためのノード（１００；１１００；１３００；１６００）であって、
−無線デバイス（１０；１５００；１７００）のためのデータチャネルとさらなる無線デバイス（１１）のための下りリンク制御チャネルとの起こりうる干渉を判定し、
−前記起こりうる干渉に応じて、前記データチャネルの開始位置を決定し、
−前記データチャネルの前記開始位置を指示する制御情報の前記無線デバイス（１０；１５００；１７００）への送信を管理し、
−前記開始位置に基づいて、前記データチャネルにおけるデータの伝送を制御する、
ように構成されたノード（１００；１１００；１３００；１６００）。
【請求項４４】
前記開始位置が、前記下りリンク制御チャネルの時間−周波数位置に応じて選択される、
請求項４３に記載のノード（１００；１１００；１３００；１６００）。
【請求項４５】
前記開始位置は、前記データチャネルの前記下りリンク制御チャネルとのオーバーラップを避けるように選択される、
請求項４３又は４４に記載のノード（１００；１１００；１３００；１６００）。
【請求項４６】
前記開始位置は、前記データチャネルの前記下りリンク制御チャネルとのオーバーラップを許容するように選択される、
請求項４３から４５のいずれか１項に記載のノード（１００；１１００；１３００；１６００）。
【請求項４７】
前記ノード（１００；１１００；１３００；１６００）は、前記判定された干渉に応じて前記データの前記伝送を制御する、
請求項４３から４６のいずれか１項に記載のノード（１００；１１００；１３００；１６００）。
【請求項４８】
前記開始位置は、送信時間間隔の最初の変調シンボルに対応する、
請求項４３から４７のいずれか１項に記載のノード（１００；１１００；１３００；１６００）。
【請求項４９】
前記制御情報は、下りリンク制御チャネルの終端との関連で前記開始位置を指示する、
請求項４３から４８のいずれか１項に記載のノード（１００；１１００；１３００；１６００）。
【請求項５０】
前記制御情報は、複数の開始位置のセットからの選択の観点で前記開始位置を指示する、
請求項４３から４９のいずれか１項に記載のノード（１００；１１００；１３００；１６００）。
【請求項５１】
前記制御情報は、１つのインジケータビットからなる、
請求項４３から５０のいずれか１項に記載のノード（１００；１１００；１３００；１６００）。
【請求項５２】
前記制御情報は、２つのインジケータビットからなる、
請求項４３から５０のいずれか１項に記載のノード（１００；１１００；１３００；１６００）。
【請求項５３】
前記制御情報は、前記無線デバイス（１０；１５００；１７００）に固有である、
請求項４３から５１のいずれか１項に記載のノード（１００；１１００；１３００；１６００）。
【請求項５４】
前記開始位置は、前記無線デバイス（１０；１５００；１７００）によって利用される複数の周波数帯域のうちの１つに固有である、
請求項４３から５３のいずれか１項に記載のノード（１００；１１００；１３００；１６００）。
【請求項５５】
前記ノード（１００；１１００；１３００；１６００）は、請求項１２から２３のいずれか１項に記載の方法のステップを実行するように構成される、
請求項４３に記載のノード（１００；１１００；１３００；１６００）。
【請求項５６】
無線デバイス（１０；１５００；１７００）であって、
−第１の周波数帯域に対するデータチャネルの伝送のための第１の開始位置と第２の周波数帯域に対する前記データチャネルの伝送のための第２の開始位置とを指示する制御情報を無線通信ネットワークから受信し、
−前記第１の開始位置及び前記第２の開始位置に基づいて、前記データチャネルにおけるデータの受信を制御する、
ように構成された無線デバイス（１０；１５００；１７００）。
【請求項５７】
前記第１の開始位置と前記第２の開始位置との少なくとも１つが送信時間間隔の最初の変調シンボルに対応する、
請求項５６に記載の無線デバイス（１０；１５００；１７００）。
【請求項５８】
前記制御情報は、下りリンク制御チャネルの終端との関連で前記第１の開始位置及び前記第２の開始位置を指示する、
請求項５６又は５７に記載の無線デバイス（１０；１５００；１７００）。
【請求項５９】
前記制御情報は、複数の開始位置のセットからの選択の観点で前記第１の開始位置及び前記第２の開始位置を指示する、
請求項５６から５８のいずれか１項に記載の無線デバイス（１０；１５００；１７００）。
【請求項６０】
前記制御情報は、周波数帯域ごとに１つのインジケータビットからなる、
請求項５６から５９のいずれか１項に記載の無線デバイス（１０；１５００；１７００）。
【請求項６１】
前記制御情報は、周波数帯域ごとに２つのインジケータビットからなる、
請求項５６から５９のいずれか１項に記載の無線デバイス（１０；１５００；１７００）。
【請求項６２】
前記制御情報は、前記無線デバイスに固有である、
請求項５６から６０のいずれか１項に記載の無線デバイス（１０；１５００；１７００）。
【請求項６３】
前記無線デバイス（１０；１５００；１７００）は、請求項２４から３０のいずれか１項に記載の方法のステップを実行するように構成される、
請求項５６に記載の無線デバイス（１０；１５００；１７００）。
【請求項６４】
無線通信ネットワークのためのシステムであって、
前記無線通信ネットワークのためのノード（１００；１１００；１３００；１６００）と、
無線デバイス（１０；１５００；１７００）とを含み、
前記ノード（１００；１１００；１３００；１６００）は、無線デバイス（１０；１５００；１７００）への、第１の周波数帯域に対するデータチャネルの伝送のための第１の開始位置と第２の周波数帯域に対する前記データチャネルの伝送のための第２の開始位置とを指示する制御情報の送信を管理するように構成され、
前記無線デバイス（１０；１５００；１７００）は、前記制御情報を受信し、前記第１の開始位置及び前記第２の開始位置に基づいて、前記データチャネルにおけるデータの受信を制御するように構成される、
システム。
【請求項６５】
無線通信ネットワークのためのシステムであって、
前記無線通信ネットワークのためのノード（１００；１１００；１３００；１６００）と、
無線デバイス（１０；１５００；１７００）とを含み、
前記ノード（１００；１１００；１３００；１６００）は、前記無線デバイス（１０；１５００；１７００）のためのデータチャネルとさらなる無線デバイス（１１）のための下りリンク制御チャネルとの起こりうる干渉を判定し、当該起こりうる干渉に応じて、前記データチャネルの開始位置を決定し、前記データチャネルの前記開始位置を指示する制御情報の前記無線デバイス（１０；１５００；１７００）への送信を管理するように構成され、
前記無線デバイス（１０；１５００；１７００）は、前記開始位置に基づいて、前記データチャネルにおけるデータの受信を制御するように構成される、
システム。
【請求項６６】
無線通信ネットワークのノード（１００；１１００；１３００；１６００）の少なくとも１つのプロセッサ（１６５０）によって実行されるべきプログラムコードを含むコンピュータプログラムであって、前記プログラムコードの実行が、前記ノード（１００；１１００；１３００；１６００）に、請求項１から２３のいずれか１項に記載の方法のステップを実行させる、コンピュータプログラム。
【請求項６７】
無線通信ネットワークのノード（１００；１１００；１３００；１６００）の少なくとも１つのプロセッサ（１６５０）によって実行されるべきプログラムコードを含むコンピュータプログラム媒体であって、前記プログラムコードの実行が、前記ノード（１００；１１００；１３００；１６００）に、請求項１から２３のいずれか１項に記載の方法のステップを実行させる、コンピュータプログラム媒体。
【請求項６８】
無線デバイス（１０；１５００；１７００）の少なくとも１つのプロセッサ（１６５０）によって実行されるべきプログラムコードを含むコンピュータプログラムであって、前記プログラムコードの実行が、前記無線デバイス（１０；１５００；１７００）に、請求項２４から３０のいずれか１項に記載の方法のステップを実行させる、コンピュータプログラム。
【請求項６９】
無線デバイス（１０；１５００；１７００）の少なくとも１つのプロセッサ（１６５０）によって実行されるべきプログラムコードを含むコンピュータプログラム媒体であって、前記プログラムコードの実行が、前記無線デバイス（１０；１５００；１７００）に、請求項２４から３０のいずれか１項に記載の方法のステップを実行させる、コンピュータプログラム媒体。
【発明の詳細な説明】
【技術分野】
【０００１】
本発明は、無線通信ネットワークにおける無線送信を制御する方法、及びその対応するデバイス及びシステムに関する。
【背景技術】
【０００２】
無線通信ネットワークにおいて、ユーザプレーンデータを運ぶために使用されるべきデータチャネルと、制御情報を、具体的には、リソース割当情報などのデータチャネルにおける送信を制御するための特定の制御情報を運ぶのに使用されるべき制御チャネルとを定めることが知られている。例えば、３ＧＰＰ（第３世代パートナーシッププロジェクト）によって定められるＬＴＥ（ロングタームエボリューション）技術において、ＰＤＣＣＨ（物理ＤＬ（下りリンク）制御チャネル）と呼ばれるＤＬ制御チャネルが、ＵＥ（ユーザ端末）へＤＬ制御情報を運ぶのに使用される。例えば、ＤＬ制御情報は、ＰＤＳＣＨ（物理ＤＬ共有チャネル）と呼ばれ、データのＤＬ送信のためにＵＥに割り当てられるＤＬデータチャネルの無線リソースを示すＤＬ割り当てを含みうる。ＤＬ制御情報は、例えば、ＰＵＳＣＨ（物理ＵＬ（上りリンク）共有チャネル）と呼ばれ、データのＵＬ送信のためにＵＥに割り当てられるＵＬデータチャネルの無線リソースを示すＵＬグラントを含みうる。ＰＤＣＣＨは、各ＵＥに対して個別の無線リソースを提供し、「制御領域」とも呼ばれる、サブフレームの最初の（１つ、２つ、３つまたは４つの）ＯＦＤＭ（直交周波数分割多重）シンボルにおいて送信される。ＰＤＳＣＨは、制御領域の後に開始する。
【０００３】
Ｈｕａｗｅｉ及びＨｉＳｉｌｉｃｏｎによる３ＧＰＰ寄書「Remaining details for the PDSCH starting symbol in TM10」、文書Ｒ１−１２４６９６、３ＧＰＰ  ＴＳＧ  ＲＡＮ  ＷＧ１ミーティング＃７１、ニューオーリンズ、米国、２０１２年１１月１２日〜１６日において、ＰＤＳＣＨがシンボル０、すなわちサブフレームの最初のＯＦＤＭシンボルからすでに開始することができること、そして、この早期の開始位置の利用を、ＲＲＣ（無線リソース制御）シグナリングによってＵＥに示されうることが示唆されている。
【０００４】
したがって、最初のＯＦＤＭシンボルにおいて（１つのＵＥに対して）単一のＰＤＣＣＨのみが送信され、このＰＤＣＣＨがこのＵＥのＰＤＳＣＨ送信をスケジューリングする場合、このＵＥのためのＰＤＳＣＨ送信は、サブフレームの最初のＯＦＤＭシンボルにおいて開始されうる。ＵＥがＰＤＣＣＨを復号してその時間周波数位置を知り、ＰＤＣＣＨに含まれるスケジューリング情報からＰＤＳＣＨ領域を含んだ時間周波数グリッドの領域をＵＥが知るため、このようなリソース割当には問題がない。この領域がＰＤＣＣＨと（部分的に）重なる場合、ＵＥがそれを認識し、スケジューリング情報によって示された領域から重なっているＰＤＣＣＨリソースを引いたものに対応するように、無線リソースがＰＤＳＣＨ送信のために実際に使用されると推定することができるため、このようなリソース割当は問題ではない。さらに、ＰＤＳＣＨ送信を含んだ時間周波数グリッドの領域と重ならない無線リソースにおいて（他のＵＥのための）さらなるＰＤＣＣＨが送信される場合、問題は予想されないはずである。しかしながら、いくつかの状況では、特にＬＴＥ技術においてＰＤＳＣＨ無線リソースの割当が１つのＰＲＢ（物理リソースブロック）の粒度で実行されることを考慮すると、このような重なりを避けることが難しい又は不十分となりうる。
【０００５】
したがって、ＤＬ制御チャネルの送信に使用される無線リソースとＤＬデータチャネルの送信に使用される無線リソースとの潜在的な重なりに関して、無線リソースを効率的に制御することを可能とする技術に対するニーズがある。
【発明の概要】
【０００６】
本発明の実施形態によれば、無線通信ネットワークにおける無線送信を制御する方法が提供される。本方法によれば、無線通信ネットワークのノードが、無線デバイスへの制御情報の送信を管理する。第１の周波数帯域について、制御情報は、データチャネルの送信のための第１の開始位置を示す。第２の周波数帯域について、制御情報はデータチャネルの送信のための第２の開始位置を示す。第１の開始位置及び第２の開始位置に基づいて、ノードは、データチャネルにおけるデータの送信を制御する。
【０００７】
本発明の別の実施形態によれば、無線通信ネットワークにおける無線送信を制御する方法が提供される。本方法によれば、無線通信ネットワークのノードが、無線デバイスのためのデータチャネルとさらなる無線デバイスのためのＤＬ制御チャネルとの起こりうる干渉を判定する。その起こりうる干渉に応じて、ノードは、データチャネルの開始位置を決定する。さらに、ノードは、無線デバイスへの制御情報の送信を管理する。制御情報は、データチャネルの開始位置を示す。その開始位置に基づいて、ノードは、データチャネルにおけるデータの送信を制御する。
【０００８】
本発明のさらなる実施形態によれば、無線通信ネットワークにおける無線送信を制御する方法が提供される。本方法によれば、無線デバイスが、無線通信ネットワークから制御情報を受信する。第１の周波数帯域に対して、制御情報は、データチャネルの送信のための第１の開始位置を示す。第２の周波数帯域に対して、制御情報は、データチャネルの送信のための第２の開始位置を示す。第１の開始位置及び第２の開始位置に基づいて、無線デバイスは、データチャネルでデータを受信する。
【０００９】
本発明のさらなる実施形態によれば、無線通信ネットワークのためのノードが提供される。本ノードは、無線デバイスへの制御情報の送信を管理するように構成される。第１の周波数帯域に対して、制御情報は、データチャネルの送信のための第１の開始位置を示す。第２の周波数帯域に対して、制御情報は、データチャネルの送信のための第２の開始位置を示す。さらに、ノードは、第１の開始位置及び第２の開始位置に基づいて、データの送信を制御するように構成される。
【００１０】
本発明のさらなる実施形態によれば、無線通信ネットワークのためのノードが提供される。本ノードは、無線デバイスのためのデータチャネルとさらなる無線デバイスのためのＤＬ制御チャネルの起こりうる干渉を判定するように構成される。さらに、ノードは、その起こりうる干渉に応じて、データチャネルの開始位置を判定するように構成される。さらに、ノードは、無線デバイスへの制御情報の送信を管理するように構成される。制御情報は、データチャネルの開始位置を示す。さらに、ノードは、開始位置に基づいて、データチャネルにおけるデータの送信を制御するように構成される。
【００１１】
本発明のさらなる実施形態によれば、無線デバイスが提供される。本無線デバイスは、無線通信ネットワークから制御情報を受信するように構成される。第１の周波数帯域に対して、制御情報は、データチャネルの送信のための第１の開始位置を示す。第２の周波数帯域に対して、制御情報は、データチャネルの送信のための第２の開始位置を示す。さらに、無線デバイスは、第１の開始位置及び第２の開始位置に基づいて、データチャネルにおけるデータの受信を制御するように構成される。
【００１２】
本発明のさらなる実施形態によれば、無線通信ネットワークのためのシステムが提供される。本システムは、無線通信ネットワークのノードと、無線デバイスとを含む。ノードは、無線デバイスへの制御情報の送信を管理するように構成される。第１の周波数帯域に対して、制御情報は、データチャネルの送信のための第１の開始位置を示す。第２の周波数帯域に対して、制御情報は、データチャネルの送信のための第２の開始位置を示す。無線デバイスは、制御情報を受信し、第１の開始位置及び第２の開始位置に基づいてデータチャネルのデータの受信を制御するように構成される。
【００１３】
本発明のさらなる実施形態によれば、無線通信ネットワークのためのシステムが提供される。本システムは、無線通信ネットワークのノードと、無線デバイスとを含む。ノードは、無線デバイスのためのデータチャネルとさらなる無線デバイスのためのＤＬ制御チャネルの起こりうる干渉を判定するように構成される。さらに、ノードは、起こりうる干渉に応じて、データチャネルの開始位置を判定するように構成される。さらに、ノードは、無線デバイスへの制御情報の送信を管理するように構成される。制御情報は、データチャネルの開始位置を示す。無線デバイスは、開始位置に基づいて、データチャネルにおけるデータの受信を制御するように構成される。
【００１４】
本発明のさらなる実施形態によれば、例えば無線通信ネットワークのノードの少なくとも１つのプロセッサによって実行されるべきプログラムコードを含んだ非一時的記憶媒体の形式で、コンピュータプログラム又はコンピュータプログラムプロダクトが提供される。本プログラムコードの実行により、ノードに無線デバイスへの制御情報の送信を管理させる。第１の周波数帯域に対して、制御情報は、データチャネルの送信のための第１の開始位置を示す。第２の周波数帯域に対して、制御情報は、データチャネルの送信のための第２の開始位置を示す。さらに、プログラムコードの実行により、ノードに、第１の開始位置及び第２の開始位置に基づいて、データの送信を制御させる。
【００１５】
本発明のさらなる実施形態によれば、例えば無線通信ネットワークのノードの少なくとも１つのプロセッサによって実行されるべきプログラムコードを含んだ非一時的記憶媒体の形式で、コンピュータプログラム又はコンピュータプログラムプロダクトが提供される。プログラムコードの実行により、ノードに、無線デバイスのためのデータチャネルとさらなる無線デバイスのためのＤＬ制御チャネルの起こりうる干渉を判定させる。さらに、プログラムコードの実行により、ノードに、起こりうる干渉に応じてデータチャネルの開始位置を判定させる。さらに、プログラムコードの実行により、ノードに、無線デバイスへの制御情報の送信を管理させる。制御情報は、データチャネルの開始位置を示す。さらに、プログラムコードの実行により、ノードに、開始位置に基づいて、データチャネルにおけるデータの送信を制御させる。
【００１６】
本発明のさらなる実施形態によれば、例えば無線デバイスの少なくとも１つのプロセッサによって実行されるべきプログラムコードを含んだ非一時的記憶媒体の形式で、コンピュータプログラム又はコンピュータプログラムプロダクトが提供される。プログラムコードの実行により、無線デバイスに、無線通信ネットワークから制御情報を受信させる。第１の周波数帯域に対して、制御情報は、データチャネルの送信のための第１の開始位置を示す。第２の周波数帯域に対して、制御情報は、データチャネルの送信のための第２の開始位置を示す。さらに、プログラムコードの実行により、無線デバイスに、第１の開始位置及び第２の開始位置に基づいてデータチャネルにおけるデータの受信を制御させる。
【００１７】
このような実施形態及びさらなる実施形態の詳細については、以下の実施形態の詳細な説明から明らかになるだろう。
【図面の簡単な説明】
【００１８】
【図１】本発明の実施形態による、無線送信が制御されるシナリオを概略的に図解した図である。
【図２】本発明の実施形態による、ＤＬ制御チャネル及びデータチャネルが設定される例示のリソース割当を図解する図である。
【図３】本発明の実施形態による、ＤＬ制御チャネル及びデータチャネルが設定されるさらなる例示のリソース割当を図解する図である。
【図４】本発明の実施形態による、ＤＬ制御チャネル及びデータチャネルが設定されるさらなる例示のリソース割当を図解する図である。
【図５】本発明の実施形態による、ＤＬ制御チャネル及びデータチャネルが設定されるさらなる例示のリソース割当を図解する図である。ＤＬ制御チャネル及びデータチャネルが設定されるさらなる例示のリソース割当を図解する図である。
【図６】本発明の実施形態による、ＤＬ制御チャネル及びデータチャネルが設定されるさらなる例示のリソース割当を図解する図である。
【図７】本発明の実施形態による、ＤＬ制御チャネル及びデータチャネルが設定されるさらなる例示のリソース割当を図解する図である。
【図８】本発明の実施形態による、ＤＬ制御チャネル及びデータチャネルが設定されるさらなる例示のリソース割当を図解する図である。
【図９】本発明の実施形態による、ＤＬ制御チャネル及びデータチャネルが設定されるさらなる例示のリソース割当を図解する図である。
【図１０】本発明の実施形態による、ネットワークノードによって実行される方法を概略的に図解したフローチャートである。
【図１１】本発明の実施形態による、ネットワークノードの機能を図解するためのブロック図である。
【図１２】本発明の実施形態による、ネットワークノードによって実行されるさらなる方法を概略的に図解したフローチャートである。
【図１３】本発明の実施形態による、ネットワークノードの機能を図解するためのブロック図である。
【図１４】本発明の実施形態による、無線デバイスによって実行される方法を概略的に図解したフローチャートである。
【図１５】本発明の実施形態による、無線デバイスの機能を図解するためのブロック図である。
【図１６】本発明の実施形態による、ネットワークノードの構造を概略的に図解した図である。
【図１７】本発明の実施形態による、無線デバイスの構造を概略的に図解した図である。
【発明を実施するための形態】
【００１９】
以下では、本発明の例示の実施形態によるコンセプトを、より詳細に、貼付の図面を参照して説明する。説明される実施形態は、無線通信ネットワークにおける無線伝送の制御に関する。無線通信ネットワークは、様々な種類の無線アクセス技術、例えば、ＬＴＥ技術などの４Ｇ（第４世代）無線アクセス技術、又は、１つの柱としてのＬＴＥ技術のエボリューションや別の柱としての（場合によっては「Ｎｅｗ  Ｒａｄｉｏ（ＮＲ）」無線アクセス技術とも呼ばれる）新しい無線アクセス技術などの、５Ｇ（第５世代）無線アクセス技術に基づきうる。説明されるコンセプトでは、ネットワーク側からの無線伝送の制御がＤＬ制御チャネルにおいてＤＬ制御情報を無線デバイスへ送信することにより完遂されることが想定される。以下で説明する例では、このＤＬ制御チャネルを、一般性を失うことなく、ＰＤＣＣＨ（物理ＤＬ制御チャネル）と呼ぶ。データ伝送は、データチャネルにおいて実行される。以下で説明する例では、このデータチャネルを、一般性を失うことなく、ＰＤＣＨ（物理データチャネル）と呼ぶ。また、以下で説明する例では、無線デバイスを、一般性を失うことなく、ユーザ端末（ＵＥ）と呼ぶ。このような無線デバイスは、携帯電話、タブレットコンピュータ、モデム、ユニバーサルシリアルバス（ＵＳＢ）ドングル、ラップトップ等のような、無線通信が可能なハンドヘルドデバイスでありうることが理解されるべきである。
【００２０】
無線伝送は、時間−周波数グリッド内に編成される無線リソース上で実行されることが想定される。時間−周波数グリッドは、対応する時間位置及び周波数位置によってそれぞれが特定されるリソースエレメントを定める。周波数位置は、所定の周波数ラスタに従って編成される異なるキャリア周波数に対応し、時間位置は、所定の時間ラスタに従って編成されるタイムスロットに対応しうる。無線伝送は例えばＯＦＤＭに基づき、キャリア周波数はＯＦＤＭサブキャリアに対応し、タイムスロットは、ＯＦＤＭシンボルに対応しうる。その一方で、他の種類の多重化手順、例えば、ＦＢＭＣ（フィルタバンクマルチキャリア）ベースの手順、又は、ＤＦＴＳ−ＯＦＤＭ（離散フーリエ変換シングルキャリアＯＦＤＭ）、ＳＣ−ＦＤＭＡ（シングルキャリア周波数分割多元接続）又はプリコーデッドＦＢＭＣなどのプリコーデッドマルチキャリア手順、も利用されてもよい。
【００２１】
以下で使用される専門用語において、各ＵＥに対して、対応するＰＤＣＣＨ及び対応するＰＤＣＨが存在すること、及び、例えばＰＤＣＨの無線リソースの割当を示すスケジューリング情報を送信することにより、ＰＤＣＨでのＵＥによるデータ伝送を制御するのにＰＤＣＣＨが利用されることが想定される。ＰＤＣＣＨは、サブフレーム又は制御情報及び／又はデータをＵＥへ送信する時間領域の粒度を定める他の種類の時間間隔における最初の変調シンボルにおいて送信されることが想定される。ＬＴＥ無線アクセス技術を利用する場合、ＰＤＣＨは、ＰＤＳＣＨ又はその一部（例えば、所与のＵＥに割り当てられたＰＤＳＣＨの無線リソース）に対応しうる。なお、完全を期すために、ＰＤＣＣＨは、上りリンク（ＵＬ）方向における、すなわち、ＵＥからネットワークへの、ＵＥのためのデータの伝送をスケジューリングするために使用される制御情報をも運びうる。このようなデータのＵＬ伝送は物理上りデータチャネル（ＰＵＤＣＨ）を介して送信されうる。
【００２２】
ＰＤＣＨの開始位置、すなわち、サブフレーム又はＴＴＩの中での開始時間位置は、ＵＥへ、フレキシブルな方法で示されうる。所与のサブフレームにおいて、ＰＤＣＨは、ＰＤＣＣＨの直後に開始しうる。しかしながら、ＰＤＣＨは、より早く、例えばサブフレームの最初のシンボルにおいて、又は、より遅く、ＰＤＣＣＨの終わりに対するギャップの後に、開始してもよい。開始位置は、各ＵＥに対して個別に制御されうる。ＰＤＣＨが複数の周波数帯域（以下では、サブバンドとも呼ぶ）において送信される場合、開始位置は、各周波数帯域に対して個別に制御されうる。開始位置は、１つ以上の他のＵＥのＰＤＣＣＨとのＰＤＣＨの観測された又は予想される干渉に応じて設定されうる。
【００２３】
ＰＤＣＨの開始位置は、ＰＤＣＣＨに対応する制御情報を含めることによって示されうる。この制御情報は、例えば、ＵＥのＰＤＣＨがサブフレームの先頭において開始するか又はＵＥのＰＤＣＣＨの後に開始するかをＵＥへ示し得る。制御情報は、ビットフィールドまたは単一ビットの観点で開始位置を示しうる。例えば、このようなビット又はビットフィールドが、ＰＤＣＣＨ内のデータとして明示的に送信されてもよいし、そうでなければＰＤＣＣＨにおいてエンコードされてもよい。また、いくつかのシナリオにおいて、制御情報は、例えばＰＤＣＣＨの周波数領域の位置に基づいて、黙示的な方法で示されてもよいし、ＰＤＣＣＨによって運ばれる他の制御情報から、例えばＰＤＣＨ上で運ばれるスケジューリング情報によって割り当てられる無線リソースから、導出されてもよい。さらに、開始位置は、ＰＤＣＣＨのＣＲＣ（サイクリックリダンダンシチェック）をスクランブリングするのに使用されるビットマスクによって示されてもよい。制御情報の単一ビットは、ＰＤＣＨがサブフレームの先頭において開始するか受信されたＰＤＣＣＨの後に開始するかを示し得る。例えば、ビット値０は、サブフレームの先頭において、すなわち、最初のシンボルにおいてＰＤＣＨが開始することを示してもよく、ビット値１は、受信したＰＤＣＣＨの後にＰＤＣＨが開始することを示してもよく、これは、ＰＤＣＨとＰＤＣＣＨとのオーバーラップがないことを意味する。開始位置が各周波数帯域に対して個別に制御される場合、制御情報は、各周波数帯域に対して、対応するビット値又は上述の指示のいずれかを含む。
【００２４】
図１は、上で概説したコンセプトが適用されうる例示のシナリオを示している。具体的には、図１は、ＵＥ１０、１１及びアクセスノード１００を図解している。アクセスノード１００は、ＬＴＥ無線技術のｅＮＢ（「エボルブドノードＢ」）などの基地局、又は５Ｇ無線技術の同様の無線アクセスポイントに対応しうる。ＵＥ１０、１１は、アクセスノード１００によってサービスが提供されるカバレッジ領域に位置することが想定される。このようなカバレッジ領域は、「セル」とも呼ばれうる。なお、無線通信ネットワークは、実際にはそれぞれが対応するカバレッジ領域を供する複数のアクセスノードを提供してもよく、ＵＥ１０、１１又は他のＵＥは、異なるカバレッジ領域間を移動してもよく、したがって、異なるアクセスノードを介して、無線通信ネットワークに接続しうる。
【００２５】
ＵＥ１０、１１からの又はＵＥ１０、１１へのデータ伝送を制御するために、第１のＰＤＣＣＨ（ＰＤＣＣＨ１）がアクセスノード１００からＵＥ１０へ設定され、第２のＰＤＣＣＨ（ＰＤＣＣＨ２）がアクセスノード１００からＵＥ１１へ設定される。さらに、第１のＰＤＣＨ（ＰＤＣＨ１）がアクセスノード１００からＵＥ１０へのＤＬデータ伝送のために設定され、第２のＰＤＣＨ（ＰＤＣＨ２）がアクセスノード１００からＵＥ１１へのＤＬデータ伝送のために設定される。ＰＤＣＣＨは、アクセスノード１００からそれぞれのＵＥ１０、１１へのＤＬ制御情報を運ぶのに使用される。このＤＬ制御情報は、ＰＤＣＨ上でのＤＬデータ伝送を制御する目的を有しうる。ＤＬ制御情報は、例えば、ＵＥ１０、１１へのＤＬスケジューリング割り当て（ＤＬ  ＳＡ）を含みうる。ＤＬスケジューリング割り当ては、ＵＥ１０、１１へのＤＬデータ伝送に使用されるＰＤＣＨの無線リソースを示しうる。
【００２６】
第１のＰＤＣＣＨ（ＰＤＣＣＨ１）は、第１のＵＥ１０に専用の無線リソース上で送信され、第２のＰＤＣＣＨ（ＰＤＣＣＨ２）は、第２のＵＥ１１に専用の無線リソースで、例えば異なるサブキャリア上で送信される。したがって、第１のＵＥ１０は、第１のＰＤＣＣＨ（ＰＤＣＣＨ１）の無線リソースを監視するが、第２のＰＤＣＣＨ（ＰＤＣＣＨ２）の無線リソースを監視せず、一方で、第２のＵＥは、第２のＰＤＣＣＨ（ＰＤＣＣＨ２）の無線リソースを監視するが、第１のＰＤＣＣＨ（ＰＤＣＣＨ１）の無線リソースを監視しない。第１のＵＥ１０へＰＤＣＨ開始指示を送信することにより、アクセスノード１００は、第１のＰＤＣＨ（ＰＤＣＨ１）がサブフレームのどの変調シンボルにおいて開始するかをフレキシブルに制御することができる。この方法において、第１のＵＥ１０が第１のＰＤＣＨ（ＰＤＣＨ１）の送信を予定する無線リソースが、アクセスノード１００が実際に第２のＰＤＣＣＨ（ＰＤＣＣＨ２）を送信する無線リソースとオーバーラップすることを避けることができる。一方で、第１のＵＥ１０が第１のＰＤＣＨ（ＰＤＣＨ１）の送信を予定する無線リソースが、アクセスノード１００が実際に第１のＰＤＣＣＨ（ＰＤＣＣＨ１）を送信する無線リソースとオーバーラップすることは、第１のＵＥ１０が後者の無線リソースを知っており、それらは例えば第１のＰＤＣＨ（ＰＤＣＨ１）でのＤＬ伝送をデコードする際にこれらの無線リソースを無視しうるため、許容されうる。したがって、第１のＰＤＣＣＨ（ＰＤＣＣＨ１）上で受信されたＤＬ  ＳＡが、第１のＰＤＣＣＨ（ＰＤＣＣＨ１）の伝送に用いられる無線リソースとオーバーラップする第１のＰＤＣＨ（ＰＤＣＨ１）の無線リソースを指示していたとしても、ＵＥ１０は、第１のＰＤＣＨ（ＰＤＣＨ１）上での無線伝送のために実際に使用される無線リソースが、第１のＰＤＣＣＨ（ＰＤＣＣＨ１）の送信のために設定される無線リソースを除いて、ＤＬ  ＳＡによって指示された無線リソースであると判定することができる。なお、図１は第１のＵＥ１０のためだけのＰＤＣＨ開始指示の送信を示しているが、もちろん、対応するＰＤＣＨ開始指示が第２のＵＥ１１へ送信されうる。
【００２７】
図２は、第１のＰＤＣＣＨ（ＰＤＣＣＨ１）、第２のＰＤＣＣＨ（ＰＤＣＣＨ２）、及び第１のＰＤＣＨ（ＰＤＣＨ１）が、どのようにして時間−周波数グリッドのリソースエレメントにマッピングされうるかの例を示している。図２の例では、（「サブバンド１」と呼ばれる）第１の周波数帯域と（「サブバンド２」と呼ばれる）第２の周波数帯域からの複数のサブキャリアを用いたＯＦＤＭ変調が想定されている。時間−周波数グリッドは、それぞれが周波数（ｆ）ドメインにおける１つのサブキャリアと時間（ｔ）ドメインにおける所定のＯＦＤＭシンボルに対応する複数のリソースエレメントを定める。送信のスケジューリング及び／又は他の制御は、サブフレームごとに完遂されることが想定される。図解した例では、サブフレームが、７個の連続するＯＦＤＭシンボル（シンボル＃０からシンボル＃６）から形成される。
【００２８】
図２の例では、第１のＰＤＣＣＨ（ＰＤＣＣＨ１）及び第２のＰＤＣＣＨ（ＰＤＣＣＨ２）が、サブフレームの最初のＯＦＤＭシンボル（シンボル＃０）において、また、第１の周波数帯域（サブバンド１）において、送信される。第１の周波数帯域では、第１のＰＤＣＨ（ＰＤＣＨ１）が、第１のＰＤＣＣＨ（ＰＤＣＣＨ１）及び第２のＰＤＣＣＨ（ＰＤＣＣＨ２）の後に開始する。したがって、第１のＰＤＣＨ（ＰＤＣＨ１）に割り当てられた無線リソースの第２のＰＤＣＣＨ（ＰＤＣＣＨ２）に割り当てられた無線リソースとのオーバーラップはない。第１のＰＤＣＣＨ（ＰＤＣＣＨ１）と第２のＰＤＣＣＨ（ＰＤＣＣＨ２）とのいずれもが送信されない第２の周波数帯域では、第１のＰＤＣＨ（ＰＤＣＨ１）が既に最初のＯＦＤＭシンボル（シンボル＃０）において開始する。したがって、第２の周波数帯域では、最初のＯＦＤＭシンボルも、第１のＰＤＣＨ（ＰＤＣＨ１）の伝送に利用することができる。
【００２９】
図２に図解されるマッピングを得るために、アクセスノード１００は、第１のＵＥ１０に対して、第１の周波数帯域において第１のＰＤＣＨ（ＰＤＣＨ１）が第１のＰＤＣＣＨ（ＰＤＣＣＨ１）の後に開始することを指示する、第１の周波数帯域のための第１のビット値（例えば上で定めたようにビット値１）と、第２の周波数帯域において第１のＰＤＣＨ（ＰＤＣＨ１）がサブフレームの最初のＯＦＤＭシンボルにおいて開始することを指示する第２の周波数帯域のための第２のビット値（例えば上で定めたようなビット値０）を含んだ、制御情報を送信しうる。アクセスノード１００は、第１のＰＤＣＣＨ（ＰＤＣＣＨ１）において、この制御情報を送信しうる。例えば、第１の周波数帯域と第２の周波数帯域とのために個別にＰＤＣＨの開始位置を指示するように、２つのビットのビットフィールドを使用しうる。ビットフィールド「００」が、両方の周波数帯域でサブフレームの最初においてＰＤＣＨが開始することを指示することができ、ビットフィールド「０１」が、第１の周波数帯域ではサブフレームの最初においてＰＤＣＨが開始すると共に第２の周波数帯域では最初のＯＦＤＭシンボルの後にＰＤＣＨが開始することを指示することができ、ビットフィールド「１０」が、第１の周波数帯域では最初のＯＦＤＭシンボルの後にＰＤＣＨが開始すると共に第２の周波数帯域ではサブフレームの最初においてＰＤＣＨが開始することを指示することができ、ビットフィールド「１１」が、両方の周波数帯域で最初のＯＦＤＭシンボルの後にＰＤＣＨが開始することを指示することができる。ビットフィールドを解釈するための対応するルールが、ＵＥにおいて事前設定されてもよいし、ネットワークからＵＥへシグナリングされてもよい。
【００３０】
各周波数帯域に対して個別にＰＤＣＨの開始位置を指示する上述の方法は、例えば、周波数帯域ごとに１つのビット値を用いることにより、２つより多くの周波数帯域に拡張されうる。多くの周波数帯域を用いるシナリオにおいてシグナリングオーバーヘッドを避けるために、同一の開始位置を有する周波数帯域（ＰＤＣＨがサブフレームの先頭において開始する周波数帯域、又は、ＰＤＣＨが最初のＯＦＤＭシンボルの後に開始する周波数帯域）が連続であるように制限されうる。最初の周波数帯域において（例えば、最も低い利用可能な周波数において）又は最後の周波数帯域において（例えば最も高い利用可能な周波数において）開始するように、ＰＤＣＨリソースの連続割り当てを制限することにより、オーバーヘッドのさらなる削減を達成することができる。連続する無線リソースの割り当ては、リソースブロックの観点で、開始リソースブロックと連続リソース割り当てのサイズとを指示することにより、効率的な方法で実現されうる。
【００３１】
図３は、第１のＰＤＣＣＨ（ＰＤＣＣＨ１）、第２のＰＤＣＣＨ（ＰＤＣＣＨ２）、及び第１のＰＤＣＨ（ＰＤＣＨ１）がどのように時間−周波数グリッドのリソースエレメントにマッピングされうるかの更なる例を図解している。図３の例では、第１のＰＤＣＣＨ（ＰＤＣＣＨ１）と第２のＰＤＣＣＨ（ＰＤＣＣＨ２）とが、（同一の周波数帯域で又は異なる周波数帯域で）サブフレームの最初のＯＦＤＭシンボル（シンボル＃０）において送信される。図のように、第１のＰＤＣＨ（ＰＤＣＨ１）が、サブフレームの最初のＯＦＤＭシンボルにおいて開始し、第１のＰＤＣＨ（ＰＤＣＨ１）に割り当てられた無線リソースは、第１のＰＤＣＣＨ（ＰＤＣＣＨ１）の送信に使用される無線リソースとオーバーラップするが、第２のＰＤＣＣＨ（ＰＤＣＣＨ２）を送信するのに使用される無線リソースとはオーバーラップしない。上述のように、このオーバーラップする状況は、第１のＵＥ１０が第１のＰＤＣＣＨ（ＰＤＣＣＨ１）を送信するのに使用される無線リソースを知っており、これらの無線リソースがアクセスノード１００によって第１のＰＤＣＨ（ＰＤＣＨ１）でのＤＬデータ伝送を送信するのに使用されないとの結論を下すため、第１のＵＥ１０によって対処することができる。したがって、第１のＰＤＣＨ（ＰＤＣＨ１）の実効的なリソース領域は、非矩形の形状を有し、第１のＰＤＣＣＨ（ＰＤＣＣＨ１）の伝送に使用されるオーバーラップした無線リソースを除いた、（典型的には１つ以上の物理リソースブロックからなる矩形リソース領域に対応しうる）第１のＰＤＣＣＨ（ＰＤＣＣＨ１）で送信されるＤＬ  ＳＡによって第１のＵＥ１０に割り当てられた無線リソースからなりうる。
【００３２】
図３に図解されるマッピングを得るために、アクセスノード１００は、第１のＰＤＣＨ（ＰＤＣＨ１）がサブフレームの最初のＯＦＤＭシンボルにおいて開始することを指示するビット値（例えば、上で定めたビット値０）を含んだ制御情報を、第１のＵＥ１０へ送信しうる。アクセスノード１００は、第１のＰＤＣＣＨ（ＰＤＣＣＨ１）において、この制御情報を送信しうる。なお、第１のＰＤＣＨ（ＰＤＣＨ１）を送信するために複数の周波数帯域を利用する場合、対応する制御情報が、周波数帯域のそれぞれに対して送信されうる。
【００３３】
図４は、第１のＰＤＣＣＨ（ＰＤＣＣＨ１）、第２のＰＤＣＣＨ（ＰＤＣＣＨ２）、及び第１のＰＤＣＨ（ＰＤＣＨ１）がどのように時間−周波数グリッドのリソースエレメントにマッピングされうるかのさらなる例を示している。図４の例では、第１のＰＤＣＣＨ（ＰＤＣＣＨ１）及び第２のＰＤＣＣＨ（ＰＤＣＣＨ２）が（同一の周波数帯域における又は異なる周波数帯域における）サブフレームの最初のＯＦＤＭシンボル（シンボル＃０）で送信される。図のように、第１のＰＤＣＨ（ＰＤＣＨ１）に割り当てられた無線リソースの第２のＰＤＣＣＨ（ＰＤＣＣＨ２）を送信するのに使用される無線リソースとのオーバーラップを避けるために、第１のＰＤＣＨ（ＰＤＣＨ１）は、第１のＰＤＣＣＨ（ＰＤＣＣＨ１）及び第２のＰＤＣＣＨ（ＰＤＣＣＨ２）の後に開始する。
【００３４】
図４に図解されるマッピングを得るために、アクセスノード１００は、第１のＵＥ１０へ、第１のＰＤＣＨ（ＰＤＣＨ１）が第１のＰＤＣＣＨ（ＰＤＣＣＨ１）の後に開始することを指示するビット値（例えば、上で定めたようにビット値１）を含んだ制御情報を送信しうる。アクセスノード１００は、第１のＰＤＣＣＨ（ＰＤＣＣＨ１）において、この制御情報を送信しうる。なお、第１のＰＤＣＨ（ＰＤＣＨ１）を送信するのに複数の周波数帯域を利用する場合は、対応する制御情報が、周波数帯域のそれぞれのために送信されうる。
【００３５】
図５は、第１のＰＤＣＣＨ（ＰＤＣＣＨ１）、第２のＰＤＣＣＨ（ＰＤＣＣＨ２）、第１のＰＤＣＨ（ＰＤＣＨ１）、及び第２のＰＤＣＨ（ＰＤＣＨ２）がどのように時間−周波数グリッドのリソースエレメントにマッピングされうるかを示すより複雑な例を図解している。図５の例では、第１のＰＤＣＣＨ（ＰＤＣＣＨ１）及び第２のＰＤＣＣＨ（ＰＤＣＣＨ２）が、（同一の周波数帯域における又は異なる周波数帯域における）サブフレームの最初のＯＦＤＭシンボル（シンボル＃０）において送信される。図のように、第１のＰＤＣＨ（ＰＤＣＨ１）は、サブフレームの最初のＯＦＤＭシンボルにおいて開始し、第１のＰＤＣＨ（ＰＤＣＨ１）に割り当てられた無線リソースが、第１のＰＤＣＣＨ（ＰＤＣＣＨ１）を送信するのに使用される無線リソースとオーバーラップするが、第２のＰＤＣＣＨ（ＰＤＣＣＨ２）を送信するのに使用される無線リソースとはオーバーラップしない。上述のように、このオーバーラップの状況は、第１のＰＤＣＣＨ（ＰＤＣＣＨ１）を送信するのに使用される無線リソースを第１のＵＥ１０が知っており、これらの無線リソースがアクセスノード１００によって第１のＰＤＣＨ（ＰＤＣＨ１）上でＤＬデータ伝送を送信するために使用されないとの結論を下すため、、第１のＵＥ１０によって対処されうる。したがって、第１のＰＤＣＨ（ＰＤＣＨ１）の実効的なリソース領域は、非矩形形状を有し、（典型的には、１つ以上の物理リソースブロックによって形成される矩形のリソース領域に対応しうる）第１のＰＤＣＣＨ（ＰＤＣＣＨ１）において送信されたＤＬ  ＳＡによって第１のＵＥ１０へ割り当てられる無線リソースから、第１のＰＤＣＣＨ（ＰＤＣＣＨ１）の送信に使用されるオーバーラップする無線リソースを引いたもので構成されうる。第２のＰＤＣＨは、第２のＰＤＣＨ（ＰＤＣＨ２）に割り当てられた無線リソースの第１のＰＤＣＣＨ（ＰＤＣＣＨ１）を送信するのに使用される無線リソースとのオーバーラップを避けるため、第１のＰＤＣＣＨ（ＰＤＣＣＨ１）及び第２のＰＤＣＣＨ（ＰＤＣＣＨ２）の後に開始する。
【００３６】
図５に図解されるマッピングを得るために、アクセスノード１００は、第１のＵＥ１０へ、例えば第１のＰＤＣＣＨ（ＰＤＣＣＨ１）上で、第１のＰＤＣＨ（ＰＤＣＨ１）がサブフレームの最初のＯＦＤＭシンボルにおいて開始することを指示するビット値（例えば、上で定めたようにビット値０）を含んだ制御情報を送信し、第２のＵＥ１１へ、、例えば第２のＰＤＣＣＨ（ＰＤＣＣＨ２）上で第２のＰＤＣＨ（ＰＤＣＨ２）が第２のＰＤＣＣＨ（ＰＤＣＣＨ２）の後に開始することを指示する制御情報を、例えば上で定めたようにビット値１を送信しうる。なお、第１のＰＤＣＨ（ＰＤＣＨ１）を送信するために複数の周波数帯域を利用する場合、対応する制御情報がその周波数帯域のそれぞれのために送信されうる。
【００３７】
図のように、図５の例では、ＰＤＣＨの開始位置が、ＵＥに対して異なる設定情報を送信することにより、ＵＥ１０、１１のそれぞれに対して独立に定められうる。
【００３８】
上の例では、ＰＤＣＣＨが１つのＯＦＤＭシンボルに広がっており、サブフレームの最初のＯＦＤＭシンボルにおいて送信される。しかしながら、図解されたコンセプトが、ＰＤＣＣＨがより多くのＯＦＤＭシンボルに（例えば、２つまたは３つのＯＦＤＭシンボルに）広がり又はサブフレームのより後の位置において送信される（例えばサブフレームの２番目又は３番目のＯＦＤＭシンボルにおいて開始する）状況に対して、対応する方法で適用されうることに留意されたい。この場合、所与のＵＥのＰＤＣＨの開始位置を指示するのに使用される制御情報は、例えば、このＵＥのＰＤＣＣＨの無線リソースとのオーバーラップを避ける位置において、例えばこのＵＥのＰＤＣＣＨの後に、ＰＤＣＨが開始するか否かを定めうる。例えば、ビット値０が、ＰＤＣＨをこのＵＥのＰＤＣＣＨの無線リソースにオーバーラップさせる位置で、例えばそのＵＥのＰＤＣＣＨと同じシンボルで又はそれより早く、ＰＤＣＨが開始することを指示し、ビット値１が、ＰＤＣＨのそのＵＥのＰＤＣＣＨの無線リソースとのオーバーラップを避ける位置で、例えばそのＵＥのＰＤＣＣＨの後で、ＰＤＣＨが開始することを指示しうる。
【００３９】
いくつかのシナリオでは、異なるＵＥのＰＤＣＣＨが、異なる広がりを有しうる。これは、異なるＵＥのＰＤＣＣＨが異なる位置で終了する効果を有しうる。第１のＰＤＣＣＨ（ＰＤＣＣＨ１）がサブフレームの最初のＯＦＤＭシンボルのみにわたり、第２のＰＤＣＣＨ（ＰＤＣＣＨ２）がサブフレームの最初の２つのＯＦＤＭシンボルにわたっている対応する例を図６に示す。この場合、開始位置を指示する制御情報は、サブフレームの最初のＯＦＤＭシンボルにおいて開始するか最も長いＰＤＣＣＨ、図６の例では第２のＰＤＣＣＨ（ＰＤＣＣＨ２）の後に開始するかを指示しうる。例えば、ビット値０は、サブフレームの先頭においてＰＤＣＨが開始することを指示し、ビット値１は、最も長い取りうるＰＤＣＣＨの後にＰＤＣＨが開始することを指示しうる。最長のＰＤＣＣＨの最も長い取りうる広がりに関する情報は、ＵＥにおいて事前設定されてもよいし、ネットワークからのシグナリングによってＵＥにおいて設定されてもよい。
【００４０】
図６の例では、第１のＰＤＣＨ（ＰＤＣＨ１）が、最も長い取りうる広がりを有することが想定される第２のＰＤＣＣＨ（ＰＤＣＣＨ２）の後に開始している。この方法では、第１のＰＤＣＨ（ＰＤＣＨ１）に割り当てられる無線リソースの第２のＰＤＣＣＨ（ＰＤＣＣＨ２）を送信するのに使用される無線リソースとのオーバーラップが回避される。
【００４１】
図６に図解されるマッピングを得るために、アクセスノード１００は、第１のＵＥ１０に対して、第１のＰＤＣＨ（ＰＤＣＨ１）が最も長い取りうるＰＤＣＣＨの後に開始することを指示するビット値（例えば、上で定めたようにビット値１）を含んだ制御情報を送信しうる。アクセスノード１００は、この制御情報を、第１のＰＤＣＣＨ（ＰＤＣＣＨ１）において送信しうる。なお、第１のＰＤＣＨ（ＰＤＣＨ１）を送信するのに複数の周波数帯域を利用する場合は、周波数帯域のそれぞれのために対応する制御情報が送信されうる。
【００４２】
図７は、図６の例と同様であるさらなる例を示している。この例においても、ＰＤＣＣＨの最も長い取りうる広がりが、２つのＯＦＤＭシンボルであることを想定している。その一方で、この場合、第１のＰＤＣＣＨ（ＰＤＣＣＨ１）と第２のＰＤＣＣＨ（ＰＤＣＣＨ２）の両方が、サブフレームの最初のＯＦＤＭシンボルのみに広がっており、最も長い取りうる広がりよりも短い。それにもかかわらず、第１のＰＤＣＨ（ＰＤＣＨ１）は、その最も長い取りうる広がりの後に、３番目のＯＦＤＭシンボル（シンボル＃２）において開始している。図から分かるように、このリソース割り当ては、サブフレームの無線リソースが使用されないままとなるという結果となる。このような状況を避けるために、ＰＤＣＨの開始位置が、例えば（各周波数帯域に対して）２つ以上のビットのビットフィールドを用いることにより、より詳細な粒度で指示されうる。例えば、ＰＤＣＣＨの最も長い取りうる広がりが３ＯＦＤＭシンボルである、これはＰＤＣＨの広がりが１ＯＦＤＭシンボル、２ＯＦＤＭシンボル、３ＯＦＤＭシンボルでありうることを意味する、ことを仮定した場合、ビットフィールド「００」が、サブフレームの先頭においてＰＤＣＨが開始することを指示し、ビットフィールド「０１」が、最初のＯＦＤＭシンボルの後にＰＤＣＨが開始することを指示し、ビットフィールド「１０」が、２番目のＯＦＤＭシンボルの後にＰＤＣＨが開始することを指示し、ビットフィールド「１１」が、３番目のＯＦＤＭシンボルの後にＰＤＣＨが開始することを指示しうる。ビットフィールドを解釈するための対応するルールは、ＵＥにおいて事前設定されてもよいし、ネットワークからＵＥへシグナリングされてもよい。
【００４３】
なお、ＵＥごとに異なるＰＤＣＣＨの広がりに対処する上述の方法は、サブフレームの最初のＯＦＤＭシンボルにおいてＰＤＣＣＨが必ずしも開始しないことによってＰＤＣＣＨの終了位置が異なるシナリオにも適用されうる。
【００４４】
図８は、サブフレームアグリゲーションを含んだシナリオにおいて、第１のＰＤＣＣＨ（ＰＤＣＣＨ１）、第２のＰＤＣＣＨ（ＰＤＣＣＨ２）、またさらなるＵＥの第３のＰＤＣＣＨ（ＰＤＣＣＨ３）、第１のＰＤＣＨ（ＰＤＣＨ１）、及び第２のＰＤＣＨ（ＰＤＣＨ２）がどのように時間−周波数グリッドのリソースエレメントにマッピングされうるかのさらなる例を示している。サブフレームアグリゲーションの場合、最初のサブフレームにおいて送信されるＰＤＣＣＨが、このサブフレームのみならず、１つ以上の後続のサブフレームにおけるＰＤＣＨ上での無線伝送をも制御するのに使用される。図８の例では、第１のＰＤＣＨ（ＰＤＣＨ１）が、第１のサブフレーム（サブフレーム＃Ｘ）及び後続のサブフレーム（サブフレーム＃Ｘ＋１）において送信され、最初のサブフレームにおいてのみ送信される第１のＰＤＣＣＨ（ＰＤＣＣＨ１）によって制御される。図２のシナリオと同様に、第１のＰＤＣＨ（ＰＤＣＨ１）は、第１の周波数帯域（サブバンド１）及び第２の周波数帯域（サブバンド２）において送信される。第２のＰＤＣＣＨ（ＰＤＣＣＨ２）は、最初のサブフレーム及び第１の周波数帯域において送信され、最初のサブフレーム及び第１の周波数帯域においてのみ送信される第２のＰＤＣＨ（ＰＤＣＨ２）上での無線伝送を制御する。第３のＰＤＣＣＨは、後続のサブフレーム及び第１の周波数帯域において送信され、対応するＰＤＣＨを伴わずに図解されている。例えば、第３のＰＤＣＣＨは、ＵＬグラントを送信するために使用されうる。
【００４５】
図８の例では、第１のＰＤＣＣＨ（ＰＤＣＣＨ１）及び第２のＰＤＣＣＨ（ＰＤＣＣＨ２）が、最初のサブフレームの最初のＯＦＤＭシンボル（シンボル＃０）において送信される。第３のＰＤＣＣＨは、後続のサブフレームの最初のＯＦＤＭシンボル（シンボル＃０）において送信される。第１の周波数帯域において、第１のＰＤＣＨ（ＰＤＣＨ１）は第２のＰＤＣＣＨ（ＰＤＣＣＨ２）の後に開始する。したがって、第１のＰＤＣＨ（ＰＤＣＨ１）に割り当てられる無線リソースの第２のＰＤＣＣＨ（ＰＤＣＣＨ２）に割り当てられる無線リソースとのオーバーラップはない。さらに図解されるように、第１の周波数帯域において、第１のＰＤＣＨ（ＰＤＣＨ１）は、第３のＰＤＣＣＨと異なる周波数リソースでスケジューリングされている。したがって、第１のＰＤＣＨ（ＰＤＣＨ１）に割り当てられる無線リソースの第３のＰＤＣＣＨに割り当てられる無線リソースとのオーバーラップはない。第２の周波数帯域では、第１のＰＤＣＨ（ＰＤＣＨ１）は、最初のＯＦＤＭシンボル（＃０）において既に開始しており、第１のＰＤＣＨ（ＰＤＣＨ１）に割り当てられる無線リソースは、第１のＰＤＣＣＨ（ＰＤＣＣＨ１）を送信するのに使用される無線リソースとオーバーラップする。このオーバーラップの状況は、第１のＵＥ１０が第１のＰＤＣＣＨ（ＰＤＣＣＨ１）を送信するのに使用される無線リソースを知っており、したがって、これらの無線リソースがアクセスノード１００によって第１のＰＤＣＨ（ＰＤＣＨ１）でのＤＬデータ伝送を送信するために使用されないとの結論を出すため、第１のＵＥ１０による対処が可能である。
【００４６】
図８に図解されるようなマッピングを得るために、アクセスノード１００は、第１の周波数帯域において第１のＰＤＣＨ（ＰＤＣＨ１）が第１のＰＤＣＣＨ（ＰＤＣＣＨ１）の後に開始することを指示する第１の周波数帯域のための第１のビット値（例えば、上で定めたようにビット値１）と、第２の周波数帯域において第１のＰＤＣＨ（ＰＤＣＨ１）がサブフレームの最初のＯＦＤＭシンボルにおいて開始することを指示する第２の周波数帯域のための第２のビット値（例えば上で定めたようにビット値０）を含んだ制御情報を第１のＵＥ１０へ送信しうる。アクセスノード１００は、第１のＰＤＣＣＨ（ＰＤＣＣＨ１）において、例えば図２と関連して説明したようなビットフィールドを用いて、この制御情報を送信しうる。
【００４７】
アクセスノード１００は、ＵＥ１０、１１に対して指示されるＰＤＣＨの開始位置を選択する際の様々な判断を適用しうる。この方法においては、ＰＤＣＣＨの設定及びＰＤＣＨのスケジューリングが、効率的な方法で統合されうる。多くのシナリオにおいて、アクセスノード１００は、あるＵＥのＰＤＣＨに割り当てられる無線リソースの別のＵＥのＰＤＣＣＨの送信に使用される無線リソースとのオーバーラップを避けることを目指しうる。その一方で、いくつかの状況では、アクセスノード１００は、あるＵＥのＰＤＣＨに割り当てられる無線リソースを別のＵＥのＰＤＣＣＨの送信に使用される無線リソースとオーバーラップさせる、ＰＤＣＨの開始位置を選択してもよい。第１のＰＤＣＣＨ（ＰＤＣＣＨ１）、第２のＰＤＣＣＨ（ＰＤＣＣＨ２）、及び第１のＰＤＣＨ（ＰＤＣＨ１）の対応するマッピングの例を図９に示す。図９の例では、第１のＰＤＣＣＨ（ＰＤＣＣＨ１）及び第２のＰＤＣＣＨ（ＰＤＣＣＨ２）が、（同一の周波数帯域において又は異なる周波数帯域において）サブフレームの最初のＯＦＤＭシンボル（シンボル＃０）において送信されている。図のように、第１のＰＤＣＨ（ＰＤＣＨ１）は、サブフレームの最初のＯＦＤＭシンボルにおいて開始し、第１のＰＤＣＨ（ＰＤＣＨ１）に割り当てられている無線リソースが、第１のＰＤＣＣＨ（ＰＤＣＣＨ１）を送信するために使用される無線リソースと、また、第２のＰＤＣＣＨ（ＰＤＣＣＨ２）を送信するために使用される無線リソースと、オーバーラップしている。アクセスノード１００は、このオーバーラップの状況が受け入れ可能であると判定し、それに応じて、例えば第１のＰＤＣＨ（ＰＤＣＨ１）がサブフレームの最初のＯＦＤＭシンボルにおいて開始することを指示するビット値（例えば、上で定めたようにビット値０）を含んだ制御情報を第１のＵＥ１０へ送信することにより、第１のＰＤＣＨ（ＰＤＣＨ１）の開始位置を指示しうる。アクセスノード１００は、例えばビームフォーミング設定の選択、（ロバストな）変調及び符号化手法の選択、及び／又は送信電力の調整により、干渉が閾値を下回ったままとなるような方法で、第１のＰＤＣＨ（ＰＤＣＨ１）と第２のＰＤＣＣＨ（ＰＤＣＣＨ２）との少なくともいずれかの送信パラメータの制御をも行いうる。
【００４８】
第１のＰＤＣＨ（ＰＤＣＨ１）の第２のＰＤＣＣＨ（ＰＤＣＣＨ２）とのオーバーラップが受け入れ可能であるかを評価するためにアクセスノード１００によって適用される基準は、例えば、ＵＥ１０、１１の空間分離、及び／又はＵＥ１０、１１によって適用されるビームフォーミング設定を考慮しうる。例えば、空間分離及び／又はビームフォーミングによる、第２のＰＤＣＣＨ（ＰＤＣＣＨ２）の第１のＰＤＣＨ（ＰＤＣＨ１）との干渉が、ＵＥ１０が第１のＰＤＣＨ（ＰＤＣＨ１）を復号することができるように閾値を下回ると推定される場合、アクセスノード１００は、そのオーバーラップが受け入れ可能であると決定し、それに応じて第１のＰＤＣＨ（ＰＤＣＨ１）の開始位置を指示しうる。
【００４９】
上の例では、ＰＤＣＨがアクセスノード１００からＵＥ１０へのＤＬデータ伝送に使用されることを想定していた。しかしながら、ＰＤＣＨが（例えばアクセスノードから他のノードへの）無線セルフバックホール接続や、（例えばあるＵＥから別のＵＥへの）デバイスツーデバイス接続に使用されるシナリオに、対応する方法で説明されたコンセプトが適用されうることに留意されたい。
【００５０】
図１０は、無線通信ネットワークにおいて無線伝送を制御する方法を図解するフローチャートを示している。図１０の方法は、無線通信ネットワークのノードにおいて、例えば、上述のアクセスノード１００などのアクセスノードにおいて、説明されたコンセプトを実行するために利用されうる。ノードのプロセッサベースの実装が用いられる場合、方法のステップは、ノードの１つ以上のプロセッサによって実行されうる。このような場合、ノードは、さらに、後述の機能を実行するためのプログラムコードが記憶されたメモリを有しうる。
【００５１】
オプションのステップ１０１０において、ノードは、第１の周波数帯域における無線デバイスのデータチャネルの第１の開始位置と第２の周波数帯域におけるデータチャネルの第２の開始位置とを決定しうる。無線デバイスは、例えば、ＵＥ１０などのＵＥでありうる。データチャネルは、例えば、図２から図９の例におけるＰＤＣＨなどのＤＬデータチャネルでありうる。しかしながら、他の種類のデータチャネル、例えば、無線通信ネットワークの２つのアクセスノード間の無線バックホール接続としてのデータチャネルやデバイスツーデバイス接続のデータチャネル、も使用されうる。第１の開始位置と第２の開始位置との少なくとも１つが図２、図３、図５、図８及び図９の例で図解したもののような、サブフレームの最初の変調シンボルに対応しうる。
【００５２】
第１の開始位置と第２の開始位置とを決定することは、少なくとも１つのさらなる無線デバイスへのＤＬ制御情報の送信のためのＤＬ制御チャネルの時間−周波数位置に応じて第１の開始位置と第２の開始位置とが選択されることを含みうる。この選択は、ノードによって実行されうる。そのさらなる無線デバイスは、例えば、ＵＥ１１などのＵＥでありうる。第１の開始位置と第２の開始位置は、例えば図２から図８の例において示すように、データチャネルのＤＬ制御チャネルとのオーバーラップを回避するように選択されうる。代わりに、第１の開始位置と第２の開始位置は、例えば図９の例に示すように、データチャネルのＤＬ制御チャネルとのオーバーラップを許容するように選択されうる。オーバーラップを許容するか否かの決定は、データチャネルとＤＬ制御チャネルとの間の起こりうる干渉に基づきうる。いくつかのシナリオにおいて、ノードは、データチャネルとＤＬ制御チャネルとの間の起こりうる干渉に応じて、データチャネルでのデータの送信の制御をも行いうる。例えば、これは、起こりうる干渉が閾値を下回り続けると共にデータチャネルのＤＬ制御チャネルとのオーバーラップが許容されうるような方法で、ビームフォーミング、変調及び符号化方式、又は送信電力などの送信パラメータを調整することを含みうる。
【００５３】
ステップ１０２０において、ノードは、無線デバイスへの制御情報の送信を管理する。制御情報は、データチャネルの送信のための第１の開始位置と、データチャネルの送信のための第２の開始位置とを指示する。例えば、第１の開始位置と第２の開始位置は、ステップ１０１においてアクセスノードによって決定されていてもよい。しかしながら、第１の開始位置又は第２の開始位置は、別の方法で決定され、例えば無線通信ネットワークの別のノードによって指示されてもよい。制御情報の送信を管理する動作は、制御情報を実際に送信することを含みうる。しかしながら、いくつかのケースにおいて、制御情報の送信を管理する動作は、制御情報を送信しないことを決定することを含んでもよい。例えば、第１の開始位置又は第２の開始位置がデフォルトの開始位置から外れる場合にのみ、制御情報が送信されてもよい。
【００５４】
制御情報は、ＤＬ制御チャネルの終端との関連で第１の開始位置と第２の開始位置とを指示しうる。これは、無線通信ネットワークから無線デバイスへのＤＬ制御チャネルでありうる。さらに、これは、任意の他のＤＬ制御チャネルの推定される終端位置であってもよく、例えば、ＤＬ制御チャネル最も長い取りうる広がり及び／又は、ＤＬ制御チャネルのありうる最も後の開始に基づいて推定されうる。例えば、制御情報は、開始位置がＤＬ制御チャネルの終了の直後であること、又は、ＤＬ制御チャネルの終了の所定変調シンボル数だけ前又は後であることを指示しうる。さらに、制御情報は、第１の開始位置及び第２の開始位置を、複数の開始位置の集合からの選択の観点で指示しうる。例えば、複数の開始位置の集合は、例えば図７の例と関連して説明したように、制御情報に含まれるビット値又はビットフィールドによって特定されうる２つ以上の所定の開始位置を含みうる。所定の開始位置は、図７の例と関連して説明したように隣接しうるが、非隣接開始位置も利用されてもよい。いくつかのシナリオにおいて、制御情報は、周波数帯域ごとに１つのインジケータビットからなる。しかしながら、制御情報は、周波数帯域ごとに２つ以上のインジケータビットからなってもよい。制御情報は、ＤＬ制御チャネル上で、無線デバイスへ送信されてもよい。制御情報は無線デバイスに固有でありうる。したがって、第１の開始位置及び第２の開始位置は、各無線デバイスに対して独立に指示されうる。
【００５５】
ステップ１０３０において、ノードは、データチャネル上でのデータの伝送を制御する。この動作は、第１の開始位置及び第２の開始位置に基づいて実行される。例えば、これは、第１の周波数帯域において、ノードが、第１の開始位置からデータチャネルへのデータのマッピングを開始する一方で、第２の周波数帯域において、ノードは、第２の開始位置からデータチャネルへのデータのマッピングを開始することを含みうる。
【００５６】
図１１は、無線通信ネットワークのためのノード１１００の機能を図解するブロック図を示している。ノード１１００は、図１０の方法に従って動作することが想定されている。図のように、ノード１１００には、オプションとして、ステップ１０１０と関連して説明したような、第１の開始位置及び第２の開始位置を決定するように構成されたモジュール１１１０が提供されうる。さらに、ノード１１００には、ステップ１０２０と関連して説明されたような、制御情報の送信を管理するように構成されたモジュール１１２０が提供されうる。さらに、ノード１１００には、ステップ１０３０と関連して説明されたような、データの送信を制御するように構成されたモジュール１１３０が提供されうる。
【００５７】
なお、ノード１１００は、ＬＴＥ技術のｅＮＢなどのアクセスノードの既知の機能のような他の機能を実行するためのさらなるモジュールを含みうる。さらに、ノード１１００のモジュールはノード１１００のハードウェア構造を必ずしも表していないが、ハードウェア、ソフトウェアまたはその組み合わせによって実装される機能要素に対応しうることに留意されたい。
【００５８】
図１２は、無線通信ネットワークにおける無線伝送を制御するさらなる方法を図解するフローチャートを示している。図１２の方法は、無線通信ネットワークのノードにおいて、例えば上述のアクセスノード１００などのアクセスノードにおいて説明したコンセプトを実行するのに利用されうる。ノードのプロセッサベースの実装が用いられる場合、方法のステップは、ノードの１つ以上のプロセッサによって実行されうる。このような場合、ノードは、後述の機能を実行するためのプログラムコードを記憶したメモリをさらに有しうる。
【００５９】
ステップ１２１０において、ノードは、無線デバイスのためのデータチャネルとさらなる無線デバイスのためのＤＬ制御チャネルとの起こりうる干渉を判定する。無線デバイスは、例えば、ＵＥ１０及びＵＥ１１などのＵＥでありうる。無線デバイスは、例えば、ＵＥ１０などのＵＥでありうる。データチャネルは、例えば、図２から図９の例におけるＰＤＣＨなどのＤＬデータチャネルでありうる。しかしながら、他の種類のデータチャネル、例えば、無線通信ネットワークの２つのアクセスノード間の無線バックホール接続としてのデータチャネル又はデバイスツーデバイスのデータチャネルも、使用されうる。
【００６０】
ステップ１２２０において、ノードは、データチャネルの開始位置を決定する。この動作は、ステップ１２１０で判定された起こりうる干渉に応じて実行される。また、いくつかのシナリオにおいて、ノードは、データチャネルの複数の位置、例えば、１つの開始位置と周波数帯域を決定しうる。
【００６１】
開始位置は、図２、図３、図５、図８及び図９の例において説明したような、サブフレームの最初の変調シンボルに対応しうる。開始位置は、少なくとも１つのさらなる無線デバイスへのＤＬ制御情報の送信のためのＤＬ制御チャネルの時間−周波数位置に応じて選択されうる。さらなる無線デバイスは、例えば、ＵＥ１１などのＵＥでありうる。開始位置は、例えば図２から図８の例において示したように、データチャネルのＤＬ制御チャネルとのオーバーラップを避けるように選択されうる。代わりに、開始位置は、例えば図９の例において示すように、データチャネルのＤＬ制御チャネルとのオーバーラップを許容するように選択されてもよい。オーバーラップを許容するか否かの決定は、データチャネルとＤＬ制御チャネルとの間の起こりうる干渉に基づきうる。いくつかのシナリオにおいて、ノードは、データチャネルとＤＬ制御チャネルとの間の起こりうる干渉に応じて、データチャネル上でのデータの伝送の制御をも行いうる。例えば、これは、起こりうる干渉を閾値を下回らせ続けてデータチャネルとＤＬ制御チャネルとのオーバーラップを許容することができるような方法で、ビームフォーミング、変調及び符号化方式、又は送信電力などの伝送パラメータを調整することを含みうる。
【００６２】
ステップ１２３０において、ノードは、無線デバイスへの制御情報の送信を管理する。制御情報は、データチャネルの開始位置を指示する。制御情報の送信を管理する動作は、実際に制御情報を送信することを含みうる。しかしながら、いくつかのケースにおいて、制御情報の送信を管理する動作は、制御情報を送信しないことを決定することを含んでもよい。例えば、開始位置がデフォルトの開始位置から離れた場合にのみ、制御情報が送信されうる。
【００６３】
制御情報は、ＤＬ制御チャネルの終端に関して開始位置を指示しうる。これは、無線通信ネットワークから無線デバイスへのＤＬ制御チャネルでありうる。さらに、これは、例えばＤＬ制御チャネルの最も長い取りうる広がり及び／又はＤＬ制御チャネル取りうる最も遅い開始に基づいて推定される、他のＤＬ制御チャネルの推定終端位置でありうる。例えば、制御情報は、開始位置がＤＬ制御チャネルの終端の直後又はＤＬ制御チャネルの終端より所定数の変調シンボルだけ前又は後であることを指示しうる。さらに、制御情報は、複数の開始位置のセットからの選択の観点で開始位置を指示しうる。例えば、複数の開始位置のセットは、例えば図７の例に関連して説明したように、制御情報に含められるビットフィールドのビット値によって特定されうる２つ以上の所定の開始位置を含みうる。所定の開始位置は、図７の例と関連して説明したように隣接していてもよいが、非隣接開始位置が利用されてもよい。いくつかのシナリオにおいて、制御情報は、周波数帯域ごとに１つのインジケータビットからなる。しかしながら、制御情報は、周波数帯域ごとに２つ以上のインジケータビットからなってもよい。制御情報は、ＤＬ制御チャネルにおいて無線デバイスへ送信されうる。
【００６４】
制御情報は、無線デバイスに固有でありうる。したがって、開始位置は、各無線デバイスに対して個別に指示されうる。さらに、指示される開始位置は、無線デバイスによって利用される複数の周波数帯域のうちの１つに固有でありうる。したがって、データチャネルの伝送に使用される各周波数帯域に対して、個別の開始位置が指示されうる。
【００６５】
ステップ１２４０において、ノードは、データチャネルにおけるデータの送信を制御する。これは、ステップ１２２０で決定された開始位置に基づいて完遂される。例えば、これは、開始位置からデータチャネルへデータをマッピングし始めることを含みうる。
【００６６】
図１３は、無線通信ネットワークのためのノード１３００の機能を図解するためのブロック図を示している。ノード１３００は、図１２の方法に従って動作することが想定されている。図解するように、ノード１３００には、ステップ１２１０に関して説明されるような、干渉を決定するように構成されたモジュール１３１０が提供されうる。さらに、ノード１３００には、ステップ１２２０に関して説明されるような、１つ以上の開始位置を決定するように構成されたモジュール１３２０が提供されうる。さらに、ノード１３００には、ステップ１２３０に関して説明されるような、制御情報の送信を管理するように構成されたモジュール１３３０が提供されうる。さらに、ノード１３００には、ステップ１２４０に関して説明されるような、データの送信を制御するように構成されたモジュール１３４０が提供されうる。
【００６７】
なお、ノード１３００は、ＬＴＥ技術のｅＮＢなどのアクセスノードの既知の機能などの他の機能を実行するためのさらなるモジュールを含んでもよい。さらに、ノード１３００のモジュールは、ノード１３００のハードウェア構造を必ずしも表さず、例えばハードウェア、ソフトウェア、又はその組み合わせによって実装される機能要素に対応してもよい。
【００６８】
図１４は、無線通信ネットワークにおける無線伝送を制御するさらなる方法を図解するフローチャートを示している。図１４の方法は、無線デバイスにおいて、例えば、ＵＥ１０などのＵＥにおいて、説明されたコンセプトを実行するために利用されうる。無線デバイスのプロセッサベースの実装が使用される場合、方法のステップは、無線デバイスの１つ以上のプロセッサによって実行されうる。このようなケースでは、無線デバイスは、後述の機能を実装するためのプログラムコードが記憶されたメモリをさらに有しうる。
【００６９】
オプションのステップ１４１０において、無線デバイスは、制御情報を受信する。制御情報は、無線通信ネットワークのノードから、例えばアクセスノード１００などのアクセスノードから受信されうる。制御情報は、第１の周波数帯域における無線デバイスのデータチャネルの第１の開始位置と、第２の周波数帯域におけるデータチャネルの第２の開始位置とを指示する。データチャネルは、例えば、図２から図９までの例におけるＰＤＣＨなどのＤＬデータチャネルでありうる。しかしながら、他の種類のデータチャネル、例えば無線通信ネットワークの２つのアクセスノード間の無線バックホール接続としてのデータチャネル又はデバイスツーデバイス接続のデータチャネルが利用されてもよい。第１の開始位置と第２の開始位置との少なくとも１つは、図２、図３、図５、図８、及び図９の例において説明されたように、サブフレームの最初の変調シンボルに対応しうる。
【００７０】
第１の開始位置及び第２の開始位置は、少なくとも１つの無線デバイスへのＤＬ制御情報の送信のためのＤＬ制御チャネルの時間−周波数位置に応じて、選択されうる。さらなる無線デバイスは、例えば、ＵＥ１１などのＵＥでありうる。第１の開始位置及び第２の開始位置は、例えば図２から図８の例において示されるように、データチャネルのＤＬ制御チャネルとのオーバーラップを回避するように選択されうる。代わりに、第１の開始位置及び第２の開始位置は、例えば図９の例において示したように、データチャネルのＤＬ制御チャネルとのオーバーラップを許容するように選択されうる。
【００７１】
制御情報は、ＤＬ制御チャネルの終端に関連して第１の開始位置及び第２の開始位置を指示しうる。これは、無線通信ネットワークから無線デバイスへのＤＬ制御チャネルでありうる。さらに、これは、例えばＤＬ制御チャネルの最も長い取りうる広がり及び／又はＤＬ制御チャネルの取りうる最も遅い開始に基づいて推定される、他のＤＬ制御チャネルの推定終端位置でありうる。例えば、制御情報は、開始位置がＤＬ制御チャネルの終端の直後又はＤＬ制御チャネルの終端の所定数の変調シンボル分だけ前又は後であることを指示しうる。さらに、制御情報は、複数の開始位置のセットからの選択の観点で、第１の開始位置及び第２の開始位置を指示しうる。例えば、複数の開始位置のセットは、例えば図７の例に関して説明したように、制御情報に含まれるビット値又はビットフィールドによって特定されうる２つ以上の所定の開始位置を含みうる。所定の開始位置は、図７の例に関して説明したように、隣接していてもよいが、非隣接開始位置も利用されうる。いくつかのシナリオにおいて、制御情報は、周波数帯域ごとに１つのインジケータビットからなる。その一方で、制御情報は、周波数帯域ごとに２つ以上のインジケータビットからなってもよい。制御情報は、ＤＬ制御チャネルにおいて無線デバイスへ送信されうる。制御除法は、無線デバイスに固有でありうる。したがって、第１の開始位置及び第２の開始位置は、無線デバイスのそれぞれに対して個別に指示されうる。
【００７２】
ステップ１４３０において、無線デバイスは、データチャネルにおけるデータの受信を制御する。この動作は、制御情報によって指示された第１の開始位置及び第２の開始位置に基づいて実行される。例えば、第２の周波数帯域において無線デバイスがＴＴＩの無線リソースの監視及び／又は第２の開始位置からのＴＴＩの無線リソースで受信された信号の復号を開始しながら、第１の周波数帯域において無線デバイスがＩＩＴの無線リソースの監視及び／又は第１の開始位置からのＴＴＩの無線リソースで受信された信号の復号を開始することを含みうる。
【００７３】
図１５は、図１４の方法に従って動作する無線デバイス１５００の機能を図解するブロック図を示している。図のように、無線デバイス１５００には、ステップ１４１０に関して説明したような、制御情報を受信するように構成されたモジュール１５１０が提供されうる。さらに、無線デバイス１５００は、ステップ１４２０に関して説明したような、データの受信を制御するように構成されたモジュール１５２０が提供されうる。
【００７４】
なお、無線デバイス１５００は、ＬＴＥ技術をサポートするＵＥの既知の機能などの、他の機能を実装するためのさらなるモジュールを含みうる。さらに、無線デバイス１５００のモジュールは必ずしも無線デバイス１５００のハードウェア構造を表しておらず、例えばハードウェア、ソフトウェア、又はその組み合わせによって実装される、機能要素に対応しうることに留意されたい。
【００７５】
さらに、図１０、図１２及び図１４の方法が、相互に組み合わせられてもよいことが理解されるべきである。例えば、無線通信ネットワークの同一のノードが、図１０と図１２との両方の方法に従って動作してもよい。さらに、方法は、図１０及び／又は図１２の方法に従って動作するノード、及び／又は、図１４の方法に従って動作する１つ以上の無線デバイスを含んだシステムにおいて組合されうる。
【００７６】
図１６は、無線通信ネットワークのためのノード１６００のプロセッサベースの実装を図解している。ノード１６００は、上述のコンセプトを実装するために用いられうる。ノード１６００は、上述のアクセスノード１００などの、図１０又は図１２の方法に従って動作するノードに対応しうる。
【００７７】
図のように、ノード１６００は、上述のＵＥ１０、１１又は図１５の方法における無線デバイスなどの１つ以上の無線デバイスと接続するための無線インタフェース１６１０を含みうる。無線インタフェースは、例えば、上述のＤＬ制御チャネル又はデータチャネルを送信するために使用されうる。さらに、ノード１６００は、無線通信ネットワークの１つ以上の他のノードと接続するためのネットワークインタフェース１６２０を含みうる。ネットワークインタフェース１６２０は、例えば、ノードのバックホール接続を確立するために使用されうる。
【００７８】
さらに、ノード１６００は、インタフェース１６１０、１６２０に接続された１つ以上のプロセッサ１６５０と、プロセッサ１６５０に接続されたメモリ１６６０とを含みうる。例として、インタフェース１６１０、１６２０、プロセッサ１６５０、及びメモリ１６６０は、ノード１６００の１つ以上の内部バスシステムによって接続されうる。メモリ１６６０は、読み出し専用メモリ（ＲＯＭ）、例えばフラッシュＲＯＭと、ランダムアクセスメモリ（ＲＡＭ）、例えばダイナミックＲＡＭ（ＤＲＡＭ）又はスタティックＲＡＭ（ＳＲＡＭ）、マスストレージ、例えばハードディスク又はソリッドステートディスク等を含みうる。図のように、メモリ１６６０は、ソフトウェア１６７０、ファームウェア１６８０、及び／又は制御パラメータ１６９０を含みうる。メモリ１６６０は、図１０又は図１２に関連して説明したような、無線通信ネットワークノードの上述の機能を実装するための、プロセッサ１６５０によって実行されるべき適切に構成されたプログラムコードを含みうる。このプログラムコードは、ソフトウェア１６７０の一部として及び／又はファームウェアの一部として記憶されうる。さらに、このプログラムコードは、制御パラメータ１６９０のうちの１つ以上を用いて動作しうる。
【００７９】
図１６で説明した構造は概略に過ぎず、ノード１６００は、明確性のために図解されていないさらなる要素、例えば、さらなるインタフェース又はプロセッサを実際には含みうることが理解されるべきである。また、メモリ１６６０は、無線通信ネットワークノードの既知の機能、例えばＬＴＥ技術のｅＮＢ又は５Ｇアクセスノードの既知の機能を実装するためのさらなるプログラムコードを含んでもよいことが理解されるべきである。いくつかの実施形態によれば、コンピュータプログラムも、、ノード１６００の機能を実装するために、例えばメモリ１６６０に記憶されるべきプログラムコード及び／又は他のデータを記憶する物理媒体の形式で、又は、プログラムコードをダウンロードに利用可能とすることにより、又はストリーミングにより、提供されてもよい。
【００８０】
図１７は、上述のコンセプトを実行するのに使用されうる無線デバイス１７００のプロセッサベースの実装を図解している。無線デバイス１７００は、上述のＵＥ１０などの、図１４の方法に従って動作する無線デバイスに対応しうる。
【００８１】
図のように、無線デバイス１７００は、例えば、上述のアクセスノード１００や図１０又は図１２の方法におけるアクセスノードなどの無線通信ネットワークのアクセスノードを介して、無線通信ネットワークに接続するための無線インタフェース１７１０を含みうる。無線インタフェースは、例えば、上述のＤＬ制御チャネルやデータチャネルを受信するのに使用されうる。
【００８２】
さらに、無線デバイス１７００は、無線インタフェース１７１０と接続された１つ以上のプロセッサ１７５０と、プロセッサ１７５０と接続されたメモリ１７６０とを含みうる。一例において、無線インタフェース１７１０、プロセッサ１７５０、及びメモリ１７６０は、無線デバイス１７００の１つ以上の内部バスシステムによって接続されうる。メモリ１７６０は、ＲＯＭ、例えばフラッシュＲＯＭ、ＲＡＭ、例えばＤＲＡＭやＳＲＡＭ、マスストレージ、例えばハードディスクやソリッドステートディスクなどを含みうる。図のように、メモリ１７６０は、ソフトウェア１７７０、ファームウェア１７８０、及び／又は制御パラメータ１７９０を含みうる。メモリ１７６０は、図１４に関して説明したような、無線デバイスの上述の機能を実装するための、プロセッサ１７５０によって実行されるべき適切に構成されたプログラムコードを含みうる。このプログラムコードは、ソフトウェア１７７０の一部として及び／又はファームウェア１７８０の一部として、記憶されうる。さらに、プログラムコードは、制御パラメータ１７９０のうちの１つ以上を用いて動作しうる。
【００８３】
図１７において図解されるような構造は概略に過ぎず、無線デバイス１７００は、実際には、明確性のために図解されていないさらなるコンポーネント、例えばさらなるインタフェース又はプロセッサを含みうることが理解されるべきである。また、メモリ１７６０は、無線デバイスの既知の機能、例えば、ＬＴＥ無線技術又は５Ｇ無線技術をサポートするＵＥの既知の機能を実装するためのさらなるプログラムコードを含んでもよいことが理解されるべきである。いくつかの実施形態によれば、コンピュータプログラムが、無線デバイス１７００の機能を実装するために、例えばメモリ１７６０に記憶されるべきプログラムコード及び／又は他のデータを記憶する物理媒体の形式で、又は、プログラムコードをダウンロードに利用可能とすることにより若しくはストリーミングにより、提供されうる。
【００８４】
理解されるように、上述のようなコンセプトは、無線通信ネットワークにおける無線伝送を効率的に制御するのに使用されうる。具体的には、１つの無線デバイスのデータチャネルの送信に割り当てられる無線リソースが、他の無線デバイスへのＤＬ制御チャネルの伝送のために使用される無線リソースと効率的に調整されうる。この方法では、無線リソースの競合する割り当て又は割り振りが回避されうる。いくつかの状況において、オーバーラップする割り当てが、起こりうる干渉を評価することに基づいて容認されうる。
【００８５】
上述の例及び実施形態は、単なる例示であり、様々な変形の影響を受けやすいことが理解されるべきである。例えば、説明されたコンセプトは、ＬＴＥ無線技術又は５Ｇ無線技術の上述の例に制限されることなく、様々な種類の無線技術と関連して適用されうる。さらに、説明されたコンセプトは、ＤＬデータチャネル、デバイスツーデバイスデータチャネル、又は無線バックホールデータチャネルを含んだ様々な種類のデータチャネルと関連して適用されうる。さらに、既存のデバイスの１つ以上のプロセッサによって又は専用のデバイスハードウェアを用いることによって、対応して設計された実行されるべきソフトウェアによって上述のコンセプトが実装されうることが理解されるべきである。さらに、説明されたノードは、それぞれ、単一のデバイスとして又は複数の相互作用するデバイスのシステムとして実装されうることに留意すべきである。
【図１】
2019521598.tif 000003
【図２】
2019521598.tif 000004
【図３】
2019521598.tif 000005
【図４】
2019521598.tif 000006
【図５】
2019521598.tif 000007
【図６】
2019521598.tif 000008
【図７】
2019521598.tif 000009
【図８】
2019521598.tif 000010
【図９】
2019521598.tif 000011
【図１０】
2019521598.tif 000012
【図１１】
2019521598.tif 000013
【図１２】
2019521598.tif 000014
【図１３】
2019521598.tif 000015
【図１４】
2019521598.tif 000016
【図１５】
2019521598.tif 000017
【図１６】
2019521598.tif 000018
【図１７】
2019521598.tif 000019
【手続補正書】
【提出日】平成30年5月22日(2018.5.22)
【手続補正１】
【補正対象書類名】特許請求の範囲
【補正対象項目名】全文
【補正方法】変更
【補正の内容】
【特許請求の範囲】
【請求項１】
無線通信ネットワークにおける無線伝送を制御する方法であって、
前記無線通信ネットワークのノード（１００；１１００；１３００；１６００）が、無線デバイス（１０；１５００；１７００）への、第１の周波数サブバンド及び第２の周波数サブバンドからのサブキャリアを用いた変調に基づくデータチャネルの受信を制御すると共に前記第１の周波数サブバンドに対する前記データチャネルの伝送のための第１の開始位置と前記第２の周波数サブバンドに対する前記データチャネルの伝送のための第２の開始位置とを指示する下りリンク制御情報を管理することと、
前記第１の開始位置及び前記第２の開始位置に基づいて、前記ノード（１００；１１００；１３００；１６００）が前記データチャネルでのデータの伝送を制御することと、
を有する方法。
【請求項２】
前記第１の開始位置及び前記第２の開始位置は、少なくとも１つのさらなる無線デバイス（１１）への下りリンク制御情報の伝送のための下りリンク制御チャネルの時間−周波数位置に応じて選択される、
請求項１に記載の方法。
【請求項３】
前記第１の開始位置及び前記第２の開始位置は、前記データチャネルの前記下りリンク制御チャネルとのオーバーラップを避けるように選択される、
請求項２に記載の方法。
【請求項４】
前記第１の開始位置及び前記第２の開始位置は、前記データチャネルの前記下りリンク制御チャネルとのオーバーラップを許容するように選択される、
請求項２に記載の方法。
【請求項５】
前記ノードが、前記データチャネルと前記下りリンク制御チャネルとの間で起こりうる干渉に応じて、前記データの前記伝送を制御することを含む、
請求項２から４のいずれか１項に記載の方法。
【請求項６】
前記第１の開始位置と前記第２の開始位置との少なくとも１つが、送信時間間隔の最初の変調シンボルに対応する、
請求項１から５のいずれか１項に記載の方法。
【請求項７】
前記下りリンク制御情報は、下りリンク制御チャネルの終端との関連で前記第１の開始位置及び前記第２の開始位置を指示する、
請求項１から６のいずれか１項に記載の方法。
【請求項８】
前記下りリンク制御情報は、複数の開始位置のセットからの選択の観点で前記第１の開始位置及び前記第２の開始位置を指示する、
請求項１から７のいずれか１項に記載の方法。
【請求項９】
前記下りリンク制御情報は、周波数サブバンドごとに１つのインジケータビットからなる、
請求項１から８のいずれか１項に記載の方法。
【請求項１０】
前記下りリンク制御情報は、周波数サブバンドごとに２つのインジケータビットからなる、
請求項１から８のいずれか１項に記載の方法。
【請求項１１】
前記下りリンク制御情報は、前記無線デバイスに固有である、
請求項１から１０のいずれか１項に記載の方法。
【請求項１２】
前記変調は、直交周波数分割多重（ＯＦＤＭ）変調、フィルタバンクマルチキャリア（ＦＢＭＣ）変調、離散フーリエ変換シングルキャリアＯＦＤＭ（ＤＦＴＳ−ＯＦＤＭ）変調、シングルキャリア周波数分割多元接続（ＳＣ−ＦＤＭＡ）変調、又は、プリコーデッドＦＢＭＣ変調である、
請求項１から１１のいずれか１項に記載の方法。
【請求項１３】
無線通信ネットワークにおける無線伝送を制御する方法であって、
前記無線通信ネットワークのノード（１００；１１００；１３００；１６００）が、無線デバイス（１０；１５００；１７００）のための複数の周波数サブバンドからのサブキャリアを用いた変調に基づくデータチャネルとさらなる無線デバイス（１１）のための下りリンク制御チャネルとの起こりうる干渉を判定することと、
前記起こりうる干渉に応じて、前記ノード（１００；１１００；１３００；１６００）が、前記複数の周波数サブバンドの１つに固有の前記データチャネルの開始位置を決定することと、
前記ノード（１００；１１００；１３００；１６００）が、前記データチャネルの前記開始位置を指示する下りリンク制御情報の前記無線デバイス（１０；１５００；１７００）への送信を管理することと、
前記開始位置に基づいて、前記ノード（１００；１１００；１３００；１６００）が、前記データチャネルにおけるデータの伝送を制御することと、
を有する方法。
【請求項１４】
前記開始位置が、前記下りリンク制御チャネルの時間−周波数位置に応じて選択される、
請求項１３に記載の方法。
【請求項１５】
前記開始位置は、前記データチャネルの前記下りリンク制御チャネルとのオーバーラップを避けるように選択される、
請求項１３又は１４に記載の方法。
【請求項１６】
前記開始位置は、前記データチャネルの前記下りリンク制御チャネルとのオーバーラップを許容するように選択される、
請求項１３から１５のいずれか１項に記載の方法。
【請求項１７】
前記ノード（１００；１１００；１３００；１６００）は、前記判定された干渉に応じて前記データの前記伝送を制御する、
請求項１３から１６のいずれか１項に記載の方法。
【請求項１８】
前記開始位置は、送信時間間隔の最初の変調シンボルに対応する、
請求項１３から１７のいずれか１項に記載の方法。
【請求項１９】
前記下りリンク制御情報は、下りリンク制御チャネルの終端との関連で前記開始位置を指示する、
請求項１３から１８のいずれか１項に記載の方法。
【請求項２０】
前記下りリンク制御情報は、複数の開始位置のセットからの選択の観点で前記開始位置を指示する、
請求項１３から１９のいずれか１項に記載の方法。
【請求項２１】
前記下りリンク制御情報は、１つのインジケータビットからなる、
請求項１３から２０のいずれか１項に記載の方法。
【請求項２２】
前記下りリンク制御情報は、２つのインジケータビットからなる、
請求項１３から２０のいずれか１項に記載の方法。
【請求項２３】
前記下りリンク制御情報は、前記無線デバイス（１０；１５００；１７００）に固有である、
請求項１３から２２のいずれか１項に記載の方法。
【請求項２４】
前記変調は、ＯＦＤＭ変調、ＦＢＭＣ変調、ＤＦＴＳ−ＯＦＤＭ変調、ＳＣ−ＦＤＭＡ変調、又はプリコーデッドＦＢＭＣ変調である、
請求項１３から２３のいずれか１項に記載の方法。
【請求項２５】
無線通信ネットワークにおける無線伝送を制御する方法であって、
無線デバイス（１０；１５００；１７００）が、第１の周波数サブバンド及び第２の周波数サブバンドからのサブキャリアを用いた変調に基づくデータチャネルの受信を制御すると共に前記第１の周波数サブバンドに対する前記データチャネルの伝送のための第１の開始位置と前記第２の周波数サブバンドに対する前記データチャネルの伝送のための第２の開始位置とを指示する下りリンク制御情報を前記無線通信ネットワークから受信することと、
前記第１の開始位置及び前記第２の開始位置に基づいて、前記無線デバイス（１０；１５００；１７００）が、前記データチャネルにおけるデータの受信を制御することと、
を有する方法。
【請求項２６】
前記第１の開始位置と前記第２の開始位置との少なくとも１つが送信時間間隔の最初の変調シンボルに対応する、
請求項２５に記載の方法。
【請求項２７】
前記下りリンク制御情報は、下りリンク制御チャネルの終端との関連で前記第１の開始位置及び前記第２の開始位置を指示する、
請求項２５又は２６に記載の方法。
【請求項２８】
前記下りリンク制御情報は、複数の開始位置のセットからの選択の観点で前記第１の開始位置及び前記第２の開始位置を指示する、
請求項２５から２７のいずれか１項に記載の方法。
【請求項２９】
前記下りリンク制御情報は、周波数サブバンドごとに１つのインジケータビットからなる、
請求項２５から２８のいずれか１項に記載の方法。
【請求項３０】
前記下りリンク制御情報は、周波数サブバンドごとに２つのインジケータビットからなる、
請求項２５から２８のいずれか１項に記載の方法。
【請求項３１】
前記下りリンク制御情報は、前記無線デバイスに固有である、
請求項２５から３０のいずれか１項に記載の方法。
【請求項３２】
前記変調は、ＯＦＤＭ変調、ＦＢＭＣ変調、ＤＦＴＳ−ＯＦＤＭ変調、ＳＣ−ＦＤＭＡ変調、又はプリコーデッドＦＢＭＣ変調である、
請求項２５から３１のいずれか１項に記載の方法。
【請求項３３】
無線通信ネットワークのためのノード（１００；１１００；１３００；１６００）であって、
−無線デバイス（１０；１５００；１７００）への、第１の周波数サブバンド及び第２の周波数サブバンドからのサブキャリアを用いた変調に基づくデータチャネルの受信を制御すると共に前記第１の周波数サブバンドに対する前記データチャネルの伝送のための第１の開始位置と前記第２の周波数サブバンドに対する前記データチャネルの伝送のための第２の開始位置とを指示する下りリンク制御情報を管理し、
−前記第１の開始位置及び前記第２の開始位置に基づいて、前記データチャネルでのデータの伝送を制御する、
ように構成されたノード（１００；１１００；１３００；１６００）。
【請求項３４】
前記第１の開始位置及び前記第２の開始位置は、少なくとも１つのさらなる無線デバイス（１１）への下りリンク制御情報の伝送のための下りリンク制御チャネルの時間−周波数位置に応じて選択される、
請求項３３に記載のノード（１００；１１００；１３００；１６００）。
【請求項３５】
前記第１の開始位置及び前記第２の開始位置は、前記データチャネルの前記下りリンク制御チャネルとのオーバーラップを避けるように選択される、
請求項３４に記載のノード（１００；１１００；１３００；１６００）。
【請求項３６】
前記第１の開始位置及び前記第２の開始位置は、前記データチャネルの前記下りリンク制御チャネルとのオーバーラップを許容するように選択される、
請求項３４に記載のノード（１００；１１００；１３００；１６００）。
【請求項３７】
前記ノード（１００；１１００；１３００；１６００）は、前記データチャネルと前記下りリンク制御チャネルとの間で起こりうる干渉に応じて、前記データの前記伝送を制御するように構成される、
請求項３３から３６のいずれか１項に記載のノード（１００；１１００；１３００；１６００）。
【請求項３８】
前記第１の開始位置と前記第２の開始位置との少なくとも１つが、送信時間間隔の最初の変調シンボルに対応する、
請求項３３から３７のいずれか１項に記載のノード（１００；１１００；１３００；１６００）。
【請求項３９】
前記下りリンク制御情報は、下りリンク制御チャネルの終端との関連で前記第１の開始位置及び前記第２の開始位置を指示する、
請求項３３から３８のいずれか１項に記載のノード（１００；１１００；１３００；１６００）。
【請求項４０】
前記下りリンク制御情報は、複数の開始位置のセットからの選択の観点で前記第１の開始位置及び前記第２の開始位置を指示する、
請求項３３から３９のいずれか１項に記載のノード（１００；１１００；１３００；１６００）。
【請求項４１】
前記下りリンク制御情報は、周波数サブバンドごとに１つのインジケータビットからなる、
請求項３３から４０のいずれか１項に記載のノード（１００；１１００；１３００；１６００）。
【請求項４２】
前記下りリンク制御情報は、周波数サブバンドごとに２つのインジケータビットからなる、
請求項３３から４０のいずれか１項に記載のノード（１００；１１００；１３００；１６００）。
【請求項４３】
前記下りリンク制御情報は、前記無線デバイス（１０；１５００；１７００）に固有である、
請求項３３から４２のいずれか１項に記載のノード（１００；１１００；１３００；１６００）。
【請求項４４】
前記変調は、ＯＦＤＭ変調、ＦＢＭＣ変調、ＤＦＴＳ−ＯＦＤＭ変調、ＳＣ−ＦＤＭＡ変調、又はプリコーデッドＦＢＭＣ変調である、
請求項３３から４３のいずれか１項に記載のノード（１００；１１００；１３００；１６００）。
【請求項４５】
前記ノード（１００；１１００；１３００；１６００）は請求項２から１２のいずれか１項に記載の方法のステップを実行するように構成される、
請求項３３に記載のノード（１００；１１００；１３００；１６００）。
【請求項４６】
無線通信ネットワークのためのノード（１００；１１００；１３００；１６００）であって、
−無線デバイス（１０；１５００；１７００）のための複数の周波数サブバンドからのサブキャリアを用いた変調に基づくデータチャネルとさらなる無線デバイス（１１）のための下りリンク制御チャネルとの起こりうる干渉を判定し、
−前記起こりうる干渉に応じて、前記周波数サブバンドの１つに固有の前記データチャネルの開始位置を決定し、
−前記データチャネルの前記開始位置を指示する下りリンク制御情報の前記無線デバイス（１０；１５００；１７００）への送信を管理し、
−前記開始位置に基づいて、前記データチャネルにおけるデータの伝送を制御する、
ように構成されたノード（１００；１１００；１３００；１６００）。
【請求項４７】
前記開始位置が、前記下りリンク制御チャネルの時間−周波数位置に応じて選択される、
請求項４６に記載のノード（１００；１１００；１３００；１６００）。
【請求項４８】
前記開始位置は、前記データチャネルの前記下りリンク制御チャネルとのオーバーラップを避けるように選択される、
請求項４６又は４７に記載のノード（１００；１１００；１３００；１６００）。
【請求項４９】
前記開始位置は、前記データチャネルの前記下りリンク制御チャネルとのオーバーラップを許容するように選択される、
請求項４６から４８のいずれか１項に記載のノード（１００；１１００；１３００；１６００）。
【請求項５０】
前記ノード（１００；１１００；１３００；１６００）は、前記判定された干渉に応じて前記データの前記伝送を制御する、
請求項４６から４９のいずれか１項に記載のノード（１００；１１００；１３００；１６００）。
【請求項５１】
前記開始位置は、送信時間間隔の最初の変調シンボルに対応する、
請求項４６から５０のいずれか１項に記載のノード（１００；１１００；１３００；１６００）。
【請求項５２】
前記下りリンク制御情報は、下りリンク制御チャネルの終端との関連で前記開始位置を指示する、
請求項４６から５１のいずれか１項に記載のノード（１００；１１００；１３００；１６００）。
【請求項５３】
前記下りリンク制御情報は、複数の開始位置のセットからの選択の観点で前記開始位置を指示する、
請求項４６から５２のいずれか１項に記載のノード（１００；１１００；１３００；１６００）。
【請求項５４】
前記下りリンク制御情報は、１つのインジケータビットからなる、
請求項４６から５３のいずれか１項に記載のノード（１００；１１００；１３００；１６００）。
【請求項５５】
前記下りリンク制御情報は、２つのインジケータビットからなる、
請求項４６から５３のいずれか１項に記載のノード（１００；１１００；１３００；１６００）。
【請求項５６】
前記制御情報は、前記無線デバイス（１０；１５００；１７００）に固有である、
請求項４６から５５のいずれか１項に記載のノード（１００；１１００；１３００；１６００）。
【請求項５７】
前記変調は、ＯＦＤＭ変調、ＦＢＭＣ変調、ＤＦＴＳ−ＯＦＤＭ変調、ＳＣ−ＦＤＭＡ変調、又はプリコーデッドＦＢＭＣ変調である、
請求項４６から５６のいずれか１項に記載のノード（１００；１１００；１３００；１６００）。
【請求項５８】
前記ノード（１００；１１００；１３００；１６００）は、請求項１４から２４のいずれか１項に記載の方法のステップを実行するように構成される、
請求項４６に記載のノード（１００；１１００；１３００；１６００）。
【請求項５９】
無線デバイス（１０；１５００；１７００）であって、
−第１の周波数サブバンド及び第２の周波数サブバンドからのサブキャリアを用いた変調に基づくデータチャネルの受信を制御すると共に前記第１の周波数サブバンドに対する前記データチャネルの伝送のための第１の開始位置と前記第２の周波数サブバンドに対する前記データチャネルの伝送のための第２の開始位置とを指示する下りリンク制御情報を無線通信ネットワークから受信し、
−前記第１の開始位置及び前記第２の開始位置に基づいて、前記データチャネルにおけるデータの受信を制御する、
ように構成された無線デバイス（１０；１５００；１７００）。
【請求項６０】
前記第１の開始位置と前記第２の開始位置との少なくとも１つが送信時間間隔の最初の変調シンボルに対応する、
請求項５９に記載の無線デバイス（１０；１５００；１７００）。
【請求項６１】
前記下りリンク制御情報は、下りリンク制御チャネルの終端との関連で前記第１の開始位置及び前記第２の開始位置を指示する、
請求項５９又は６０に記載の無線デバイス（１０；１５００；１７００）。
【請求項６２】
前記下りリンク制御情報は、複数の開始位置のセットからの選択の観点で前記第１の開始位置及び前記第２の開始位置を指示する、
請求項５９から６１のいずれか１項に記載の無線デバイス（１０；１５００；１７００）。
【請求項６３】
前記下りリンク制御情報は、周波数サブバンドごとに１つのインジケータビットからなる、
請求項５９から６２のいずれか１項に記載の無線デバイス（１０；１５００；１７００）。
【請求項６４】
前記下りリンク制御情報は、周波数サブバンドごとに２つのインジケータビットからなる、
請求項５９から６２のいずれか１項に記載の無線デバイス（１０；１５００；１７００）。
【請求項６５】
前記下りリンク制御情報は、前記無線デバイスに固有である、
請求項５９から６４のいずれか１項に記載の無線デバイス（１０；１５００；１７００）。
【請求項６６】
前記変調は、ＯＦＤＭ変調、ＦＢＭＣ変調、ＤＦＴＳ−ＯＦＤＭ変調、ＳＣ−ＦＤＭＡ変調、又はプリコーデッドＦＢＭＣ変調である、
請求項５９から６４のいずれか１項に記載の無線デバイス（１０；１５００；１７００）。
【請求項６７】
前記無線デバイス（１０；１５００；１７００）は、請求項２６から３２のいずれか１項に記載の方法のステップを実行するように構成される、
請求項５９に記載の無線デバイス（１０；１５００；１７００）。
【請求項６８】
無線通信ネットワークのためのシステムであって、
前記無線通信ネットワークのためのノード（１００；１１００；１３００；１６００）と、
無線デバイス（１０；１５００；１７００）とを含み、
前記ノード（１００；１１００；１３００；１６００）は、無線デバイス（１０；１５００；１７００）への、第１の周波数サブバンド及び第２の周波数サブバンドからのサブキャリアを用いた変調に基づくデータチャネルの受信を制御すると共に前記第１の周波数サブバンドに対する前記データチャネルの伝送のための第１の開始位置と前記第２の周波数サブバンドに対する前記データチャネルの伝送のための第２の開始位置とを指示する下りリンク制御情報の送信を管理するように構成され、
前記無線デバイス（１０；１５００；１７００）は、前記下りリンク制御情報を受信し、前記第１の開始位置及び前記第２の開始位置に基づいて、前記データチャネルにおけるデータの受信を制御するように構成される、
システム。
【請求項６９】
無線通信ネットワークのためのシステムであって、
前記無線通信ネットワークのためのノード（１００；１１００；１３００；１６００）と、
無線デバイス（１０；１５００；１７００）とを含み、
前記ノード（１００；１１００；１３００；１６００）は、
−前記無線デバイス（１０；１５００；１７００）のための複数の周波数サブバンドからのサブキャリアを用いた変調に基づくデータチャネルとさらなる無線デバイス（１１）のための下りリンク制御チャネルとの起こりうる干渉を判定し、
−当該起こりうる干渉に応じて、前記周波数サブバンドの１つに固有の前記データチャネルの開始位置を決定し、
−前記データチャネルの前記開始位置を指示する下りリンク制御情報の前記無線デバイス（１０；１５００；１７００）への送信を管理する、
ように構成され、
前記無線デバイス（１０；１５００；１７００）は、前記開始位置に基づいて、前記データチャネルにおけるデータの受信を制御するように構成される、
システム。
【請求項７０】
無線通信ネットワークのノード（１００；１１００；１３００；１６００）の少なくとも１つのプロセッサ（１６５０）によって実行されるべきプログラムコードを含むコンピュータプログラム又はコンピュータプログラム媒体であって、前記プログラムコードの実行が、前記ノード（１００；１１００；１３００；１６００）に、請求項１から２４のいずれか１項に記載の方法のステップを実行させる、コンピュータプログラム又はコンピュータプログラム媒体。
【請求項７１】
無線デバイス（１０；１５００；１７００）の少なくとも１つのプロセッサ（１６５０）によって実行されるべきプログラムコードを含むコンピュータプログラム又はコンピュータプログラム媒体であって、前記プログラムコードの実行が、前記無線デバイス（１０；１５００；１７００）に、請求項２５から３２のいずれか１項に記載の方法のステップを実行させる、コンピュータプログラム又はコンピュータプログラム媒体。
【国際調査報告】
2019521598.tif 000020
2019521598.tif 000021
2019521598.tif 000022